(57)【要約】【課題】無線通信システムにおけるＤ２Ｄ（Ｄｅｖｉｃｅ−ｔｏ−Ｄｅｖｉｃｅ）通信のための好適な信号送信方法及びこのための装置を提供すること。【解決手段】本発明は、無線通信システムにおける第１端末のＤ２Ｄ（Ｄｅｖｉｃｅ−ｔｏ−Ｄｅｖｉｃｅ）信号送信方法及び装置に関する。具体的に、Ｄ２Ｄリソースプールを指示するリソースプール設定を受信すること；及びＤ２Ｄリソースプール内で再インデックスされたＤ２Ｄスロットナンバーに基づいてＤ２Ｄデータチャネルを送信すること；を含むことを特徴とする。Ｄ２Ｄデータチャネルは、再インデックスされたＤ２Ｄスロットナンバーに基づいて生成されたスクランブリングシーケンスを用いてスクランブルされる。【選択図】図９
2019106729.tif 000002
【特許請求の範囲】
【請求項１】
無線通信システムにおける第１端末（ＵＥ）のＤ２Ｄ（ｄｅｖｉｃｅ−ｔｏ−ｄｅｖｉｃｅ）信号を送信する方法であって、前記方法は、
Ｄ２Ｄデータチャネルのためのリソースプール設定を受信することと、
前記リソースプール設定に基づいて前記Ｄ２Ｄデータチャネルのためのリソースプールを決定することと、
前記Ｄ２Ｄデータチャネルのための前記リソースプールおよび前記Ｄ２Ｄデータと関連するＤＭＲＳ（ｄｅｍｏｄｕｌａｔｉｏｎ  ｒｅｆｅｒｅｎｃｅ  ｓｉｇｎａｌ）に基づいて前記Ｄ２Ｄデータチャネルを送信することと
を含み、
前記ＤＭＲＳは、前記Ｄ２Ｄデータチャネルのための前記リソースプール内で再インデックスされたＤ２Ｄスロットナンバーに基づいて生成される、方法。
【請求項２】
前記Ｄ２Ｄデータチャネルは、前記再インデックスされたＤ２Ｄスロットナンバーに基づいて生成されたスクランブリングシーケンスを用いてスクランブルされたものである、請求項１に記載の方法。
【請求項３】
前記第１ＵＥが隣接セルのためのサブフレーム数を受信するときに、前記第１ＵＥは、同期化されたサービングセルのためのサブフレーム数と前記隣接セルのための前記サブフレーム数との間のオフセット値に基づいて前記ＤＭＲＳを生成する、請求項１に記載の方法。
【請求項４】
前記Ｄ２Ｄデータチャネルは、前記Ｄ２Ｄリソースプール内で上りリンクサブフレームのみによって再インデックスされた前記Ｄ２Ｄスロットナンバーに基づいて生成されたスクランブリングシーケンスを用いてスクランブルされたものである、請求項１に記載の方法。
【請求項５】
前記Ｄ２Ｄデータチャネルは、ＤＭＲＳを含み、
前記ＤＭＲＳの基本シーケンスは、前記Ｄ２Ｄリソースプール内で上りリンクサブフレームのみによって再インデックスされた前記Ｄ２Ｄスロットナンバーに基づいて生成される、請求項１に記載の方法。
【請求項６】
前記Ｄ２Ｄスロットナンバーは、モジュロ演算を用いて再インデックスされる、請求項１に記載の方法。
【請求項７】
前記Ｄ２Ｄリソースプールは、スケジューリング割り当てリソースプールおよびＤ２Ｄデータチャネルリソースプールを含み、
前記スケジューリング割り当てリソースプールは、前記Ｄ２Ｄデータチャネルリソースプールに先行するように設定される、請求項１に記載の方法。
【請求項８】
前記第１ＵＥおよび第２ＵＥは、それぞれ別個のサービングセルと同期化される、請求項１に記載の方法。
【請求項９】
前記第１ＵＥが同期化された第１サービングセルから、前記第１サービングセルおよび前記第２ＵＥが同期化された第２サービングセルのスロットインデックスオフセット情報を受信することをさらに含む、請求項８に記載の方法。
【請求項１０】
無線通信システムにおいてＤ２Ｄ信号を送信する第１端末（ＵＥ）であって、前記第１ＵＥは、
無線周波数ユニットと、
プロセッサと
を含み、
前記プロセッサは、
Ｄ２Ｄデータチャネルのためのリソースプール設定を受信するように前記無線周波数ユニットを制御することと、
前記リソースプール設定に基づいて前記Ｄ２Ｄデータチャネルのためのリソースプールを決定することと、
前記Ｄ２Ｄデータチャネルのための前記リソースプールおよび前記Ｄ２Ｄデータと関連するＤＭＲＳ（ｄｅｍｏｄｕｌａｔｉｏｎ  ｒｅｆｅｒｅｎｃｅ  ｓｉｇｎａｌ）に基づいて前記Ｄ２Ｄデータチャネルを送信するように前記無線周波数ユニットを制御することと
を実行するように構成され、
前記ＤＭＲＳは、前記Ｄ２Ｄデータチャネルのための前記リソースプール内で再インデックスされたＤ２Ｄスロットナンバーに基づいて生成される、第１ＵＥ。
【請求項１１】
前記Ｄ２Ｄデータチャネルは、前記再インデックスされたＤ２Ｄスロットナンバーに基づいて生成されたスクランブリングシーケンスを用いてスクランブルされたものである、請求項１０に記載のＵＥ。
【請求項１２】
前記第１ＵＥが隣接セルのためのサブフレーム数を受信するときに、前記第１ＵＥは、同期化されたサービングセルのためのサブフレーム数と前記隣接セルのための前記サブフレーム数との間のオフセット値に基づいて前記ＤＭＲＳを生成する、請求項１０に記載のＵＥ。
【請求項１３】
前記Ｄ２Ｄデータチャネルは、前記Ｄ２Ｄリソースプール内で上りリンクサブフレームのみによって再インデックスされた前記Ｄ２Ｄスロットナンバーに基づいて生成されたスクランブリングシーケンスを用いてスクランブルされたものである、請求項１０に記載のＵＥ。
【請求項１４】
前記Ｄ２Ｄデータチャネルは、前記Ｄ２Ｄリソースプール内で上りリンクサブフレームのみによって再インデックスされた前記Ｄ２Ｄスロットナンバーに基づいて生成されたスクランブリングシーケンスを用いてスクランブルされたものである、請求項１０に記載のＵＥ。
【請求項１５】
前記Ｄ２Ｄスロットナンバーは、モジュロ演算を用いて再インデックスされる、請求項１０に記載のＵＥ。
【発明の詳細な説明】
【技術分野】
【０００１】
本発明は、無線通信システムに関し、より詳細には、無線通信システムにおけるＤ２Ｄ（Ｄｅｖｉｃｅ−ｔｏ−Ｄｅｖｉｃｅ）通信のための信号送信方法及びこのための装置に関する。
【背景技術】
【０００２】
本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７及びＲｅｌｅａｓｅ  ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５、２．５、５、１０、１５、２０ＭＨｚなどの帯域幅のいずれか一つに設定され、複数の端末に下り又は上り送信サービスを提供する。異なったセルは、互いに異なった帯域幅を提供するように設定することができる。基地局は、複数の端末に関するデータ送受信を制御する。下りリンク（Ｄｏｗｎｌｉｎｋ；ＤＬ）データについて、基地局は、下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は、上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位で端末の移動性を管理する。
【０００６】
無線通信技術は、ＷＣＤＭＡ（登録商標）に基づいてＬＴＥまで開発されているが、ユーザと事業者の要求と期待は増す一方である。その上、他の無線接続技術の開発が続いており、将来、競争力を持つためには新しい技術進化が要求される。ビット当たりのコストの削減、サービス可用性の増大、柔軟な周波数バンドの使用、単純構造と開放型インターフェース、端末の適度な電力消耗などが要求される。
【発明の概要】
【発明が解決しようとする課題】
【０００７】
上述した論議に基づいて、以下では、無線通信システムにおけるＤ２Ｄ（Ｄｅｖｉｃｅ−ｔｏ−Ｄｅｖｉｃｅ）通信のための信号送信方法及びこのための装置を提案しようとする。
【０００８】
本発明で達成しようとする技術的課題は、前記の技術的課題に制限されなく、言及していない他の技術的課題は、下記の記載から本発明の属する技術分野で通常の知識を有する者に明確に理解され得るだろう。
【課題を解決するための手段】
【０００９】
上述した問題を解決するための本発明の一様相である、無線通信システムにおける第１端末のＤ２Ｄ（Ｄｅｖｉｃｅ−ｔｏ−Ｄｅｖｉｃｅ）信号送信方法は、Ｄ２Ｄリソースプール（Ｄ２Ｄ  ｒｅｓｏｕｒｃｅ  ｐｏｏｌ）を指示するリソースプール設定（ｒｅｓｏｕｒｃｅ  ｐｏｏｌ  ｃｏｎｆｉｇｕｒａｔｉｏｎ）を受信すること；及び前記Ｄ２Ｄリソースプール内で再インデックス（ｒｅ−ｉｎｄｅｘｉｎｇ）されたＤ２Ｄスロットナンバー（Ｄ２Ｄ  ｓｌｏｔ  ｎｕｍｂｅｒ）に基づいてＤ２Ｄデータチャネルを送信すること；を含むことを特徴とする。
【００１０】
さらに、前記Ｄ２Ｄデータチャネルは、前記再インデックスされたＤ２Ｄスロットナンバーに基づいて生成されたスクランブリングシーケンスを用いてスクランブルされたことを特徴とすることができる。
【００１１】
さらに、前記Ｄ２Ｄデータチャネルは、ＤＭ−ＲＳ（Ｄｅｍｏｄｕｌａｔｉｏｎ  Ｒｅｆｅｒｅｎｃｅ  Ｓｉｇｎａｌ）を含み、前記ＤＭ−ＲＳの基本シーケンス（ｂａｓｅ  ｓｅｑｕｅｎｃｅ）は、前記再インデックスされたＤ２Ｄスロットナンバーに基づいて生成されたことを特徴とすることができる。
【００１２】
さらに、前記Ｄ２Ｄデータチャネルは、前記Ｄ２Ｄリソースプール内で上りリンクサブフレームのみによって再インデックスされたＤ２Ｄスロットナンバーに基づいて生成されたスクランブリングシーケンスを用いてスクランブルされたことを特徴とすることができる。
【００１３】
さらに、前記Ｄ２Ｄデータチャネルは、ＤＭ−ＲＳ（Ｄｅｍｏｄｕｌａｔｉｏｎ  Ｒｅｆｅｒｅｎｃｅ  Ｓｉｇｎａｌ）を含み、前記ＤＭ−ＲＳの基本シーケンスは、前記Ｄ２Ｄリソースプール内で上りリンクサブフレームのみによって再インデックスされたＤ２Ｄスロットナンバーに基づいて生成されたことを特徴とすることができる。
【００１４】
さらに、前記Ｄ２Ｄスロットナンバーは、モジュロ（ｍｏｄｕｌｏ）演算を用いて再インデックスされることを特徴とすることができる。
【００１５】
さらに、前記Ｄ２Ｄリソースプールは、スケジューリング割り当てリソースプール及びＤ２Ｄデータチャネルリソースプールを含み、前記スケジューリング割り当てリソースプールは、前記Ｄ２Ｄデータチャネルリソースプールに先行して位置するように設定されたことを特徴とすることができる。
【００１６】
さらに、前記第１端末と前記第２端末は、それぞれ別個のサービングセルと同期化されたことを特徴とすることができる。
【００１７】
さらに、前記第１端末が同期化された第１サービングセルから、前記第１サービングセルと前記第２端末が同期化された第２サービングセルのスロットインデックスオフセット情報を受信することをさらに含むことを特徴とすることができる。
【００１８】
上述した問題を解決するための本発明の他の様相である、無線通信システムにおいてＤ２Ｄ（Ｄｅｖｉｃｅ−ｔｏ−Ｄｅｖｉｃｅ）信号を送信する第１端末は、無線周波数ユニット（Ｒａｄｉｏ  Ｆｒｅｑｕｅｎｃｙ  Ｕｎｉｔ）;及びプロセッサ（Ｐｒｏｃｅｓｓｏｒ）；を含み、前記プロセッサは、Ｄ２Ｄリソースプールを指示するリソースプール設定を受信し、前記Ｄ２Ｄリソースプール内で再インデックスされたＤ２Ｄスロットナンバーに基づいてＤ２Ｄデータチャネルを送信するように構成されたことを特徴とする。
本明細書は、例えば、以下の項目も提供する。
（項目１）
無線通信システムにおける第１端末のＤ２Ｄ（Ｄｅｖｉｃｅ−ｔｏ−Ｄｅｖｉｃｅ）信号送信方法において、
Ｄ２Ｄリソースプールを指示するリソースプール設定を受信すること；及び
前記Ｄ２Ｄリソースプール内で再インデックスされたＤ２Ｄスロットナンバーに基づいてＤ２Ｄデータチャネルを送信すること；を含む、Ｄ２Ｄ信号送信方法。
（項目２）
前記Ｄ２Ｄデータチャネルは、
前記再インデックスされたＤ２Ｄスロットナンバーに基づいて生成されたスクランブリングシーケンスを用いてスクランブルされたことを特徴とする、項目１に記載のＤ２Ｄ信号送信方法。
（項目３）
前記Ｄ２Ｄデータチャネルは、ＤＭ−ＲＳ（Ｄｅｍｏｄｕｌａｔｉｏｎ  ＲｅｆｅｒｅｎｃｅＳｉｇｎａｌ）を含み、
前記ＤＭ−ＲＳの基本シーケンスは、前記再インデックスされたＤ２Ｄスロットナンバーに基づいて生成されたことを特徴とする、項目１に記載のＤ２Ｄ信号送信方法。
（項目４）
前記Ｄ２Ｄデータチャネルは、
前記Ｄ２Ｄリソースプール内で上りリンクサブフレームのみによって再インデックスされたＤ２Ｄスロットナンバーに基づいて生成されたスクランブリングシーケンスを用いてスクランブルされたことを特徴とする、項目１に記載のＤ２Ｄ信号送信方法。
（項目５）
前記Ｄ２Ｄデータチャネルは、ＤＭ−ＲＳ（Ｄｅｍｏｄｕｌａｔｉｏｎ  ＲｅｆｅｒｅｎｃｅＳｉｇｎａｌ）を含み、
前記ＤＭ−ＲＳの基本シーケンスは、前記Ｄ２Ｄリソースプール内で上りリンクサブフレームのみによって再インデックスされたＤ２Ｄスロットナンバーに基づいて生成されたことを特徴とする、項目１に記載のＤ２Ｄ信号送信方法。
（項目６）
前記Ｄ２Ｄスロットナンバーは、
モジュロ演算を用いて再インデックスされることを特徴とする、項目１に記載のＤ２Ｄ信号送信方法。
（項目７）
前記Ｄ２Ｄリソースプールは、
スケジューリング割り当てリソースプール及びＤ２Ｄデータチャネルリソースプールを含み、
前記スケジューリング割り当てリソースプールは、前記Ｄ２Ｄデータチャネルリソースプールに先行して位置するように設定されたことを特徴とする、項目１に記載のＤ２Ｄ信号送信方法。
（項目８）
前記第１端末と前記第２端末は、
それぞれ別個のサービングセルと同期化されたことを特徴とする、項目１に記載のＤ２Ｄ信号送信方法。
（項目９）
前記第１端末が同期化された第１サービングセルから、
前記第１サービングセルと前記第２端末が同期化された第２サービングセルのスロットインデックスオフセット情報を受信することをさらに含むことを特徴とする、項目１に記載のＤ２Ｄ信号送信方法。
（項目１０）
無線通信システムにおいてＤ２Ｄ（Ｄｅｖｉｃｅ−ｔｏ−Ｄｅｖｉｃｅ）信号を送信する第１端末において、
無線周波数ユニット；及び
プロセッサ；を含み、
前記プロセッサは、Ｄ２Ｄリソースプールを指示するリソースプール設定を受信し、前記Ｄ２Ｄリソースプール内で再インデックスされたＤ２Ｄスロットナンバーに基づいてＤ２Ｄデータチャネルを送信するように構成されたことを特徴とする、第１端末。
【発明の効果】
【００１９】
本発明の実施例によると、無線通信システムにおいてＤ２Ｄ通信のための信号を効率的に送信することができる。
【００２０】
本発明で得られる効果は、以上で言及した効果に制限されなく、言及していない他の効果は、下記の記載から本発明の属する技術分野で通常の知識を有する者に明確に理解され得るだろう。
【図面の簡単な説明】
【００２１】
本発明に関する理解を促進するために詳細な説明の一部として含まれる添付の図面は、本発明に対する実施例を提供し、詳細な説明と共に本発明の技術的思想を説明する。
【００２２】
【図１】無線通信システムの一例としてＥ−ＵＭＴＳネットワーク構造を概略的に例示する図である。
【００２３】
【図２】３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）構造を例示する図である。
【００２４】
【図３】３ＧＰＰシステムに用いられる物理チャネル及びこれらを用いた一般的な信号送信方法を例示する図である。
【００２５】
【図４】ＬＴＥシステムで使用される無線フレームの構造を例示する図である。
【００２６】
【図５】ＬＴＥシステムで使用される下りリンク無線フレームの構造を例示する図である。
【００２７】
【図６】ＬＴＥシステムで使用される上りリンクサブフレームの構造を例示する図である。
【００２８】
【図７】一般的な多重アンテナ（ＭＩＭＯ）通信システムの構成を例示する図である。
【００２９】
【図８】Ｄ２Ｄ通信を概念的に説明するための図である。
【００３０】
【図９】本発明に係るＤ２Ｄ通信のためのリソースプールを説明するための参考図である。
【００３１】
【図１０】本発明に係るＳＡ周期（Ｓｃｈｅｄｕｌｉｎｇ  Ａｓｓｉｇｎｍｅｎｔ  Ｐｅｒｉｏｄ）を説明するための参考図である。
【００３２】
【図１１】別個のサブフレーム同期を有する各セルを説明するための参考図である。
【００３３】
【図１２】本発明の一実施例に適用可能な基地局及び端末を例示する図である。
【発明を実施するための形態】
【００３４】
以下では、添付の図面を参照して説明した本発明の各実施例によって本発明の構成、作用及び他の特徴が容易に理解され得るだろう。以下で説明する各実施例は、本発明の技術的特徴が３ＧＰＰシステムに適用された各例である。
【００３５】
本明細書は、ＬＴＥシステム及びＬＴＥ−Ａシステムを使用して本発明の実施例を説明するが、これは例示であって、本発明の実施例は、前記定義に該当する如何なる通信システムにも適用可能である。また、本明細書は、ＦＤＤ方式を基準にして本発明の実施例に対して説明するが、これは例示であって、本発明の実施例は、Ｈ−ＦＤＤ方式又はＴＤＤ方式にも容易に変形して適用可能である。
【００３６】
図２は、３ＧＰＰ無線接続網規格に基づく端末とＥ−ＵＴＲＡＮとの間の無線インターフェースプロトコルのコントロールプレーン及びユーザプレーンの構造を示す図である。コントロールプレーンは、端末（Ｕｓｅｒ  Ｅｑｕｉｐｍｅｎｔ；ＵＥ）とネットワークが呼を管理するために用いる制御メッセージが送信される通路を意味する。ユーザプレーンは、アプリケーション層で生成されたデータ、例えば、音声データ又はインターネットパケットデータなどが送信される通路を意味する。
【００３７】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は、上位にある媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。この伝送チャネルを介して媒体接続制御層と物理層との間にデータが移動する。送信側の物理層と受信側の物理層との間には、物理チャネルを介してデータが移動する。この物理チャネルは、時間と周波数を無線リソースとして用いる。具体的に、物理チャネルは、下りリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクでＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００３８】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼性あるデータ送信を支援する。ＲＬＣ層の機能は、ＭＡＣ内部の機能ブロックとして具現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを効率的に送信するために不要の制御情報を減らすヘッダー圧縮（Ｈｅａｄｅｒ  Ｃｏｍｐｒｅｓｓｉｏｎ）機能を果たす。
【００３９】
第３層の最下部に位置している無線リソース制御（Ｒａｄｉｏ  Ｒｅｓｏｕｒｃｅ  Ｃｏｎｔｒｏｌ；ＲＲＣ）層は、コントロールプレーンでのみ定義される。ＲＲＣ層は、無線ベアラー（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、伝送チャネル及び物理チャネルの制御を担当する。ＲＢは、端末とネットワークとの間のデータ伝達のために第２層によって提供されるサービスを意味する。そのために、端末とネットワークのＲＲＣ層は互いにＲＲＣメッセージを交換する。端末とネットワークのＲＲＣ層との間にＲＲＣ接続（ＲＲＣ  Ｃｏｎｎｅｃｔｅｄ）がある場合、端末はＲＲＣ接続状態（Ｃｏｎｎｅｃｔｅｄ  Ｍｏｄｅ）であり、そうでない場合、ＲＲＣ休止状態（Ｉｄｌｅ  Ｍｏｄｅ）である。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００４０】
基地局（ｅＮＢ）を構成する一つのセルは、１．２５、２．５、５、１０、１５、２０ＭＨｚなどの帯域幅のいずれか一つに設定され、複数の端末に下り又は上り送信サービスを提供する。異なったセルは異なった帯域幅を提供するように設定することができる。
【００４１】
ネットワークから端末にデータを送信する下り伝送チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信されてもよく、又は別の下りＭＣＨ（Ｍｕｌｔｉｃａｓｔ  Ｃｈａｎｎｅｌ）を介して送信されてもよい。一方、端末からネットワークにデータを送信する上り伝送チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に位置しており、伝送チャネルにマップされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００４２】
図３は、３ＧＰＰシステムに用いられる物理チャネル及びこれらを用いた一般的な信号送信方法を説明するための図である。
【００４３】
端末は、電源がついたり、新しくセルに進入したりした場合、基地局と同期を取るなどの初期セル探索（Ｉｎｉｔｉａｌ  ｃｅｌｌ  ｓｅａｒｃｈ）作業を行う（Ｓ３０１）。そのために、端末は、基地局から１次同期チャネル（Ｐｒｉｍａｒｙ  Ｓｙｎｃｈｒｏｎｉｚａｔｉｏｎ  Ｃｈａｎｎｅｌ、Ｐ−ＳＣＨ）及び２次同期チャネル（Ｓｅｃｏｎｄａｒｙ  Ｓｙｎｃｈｒｏｎｉｚａｔｉｏｎ  Ｃｈａｎｎｅｌ、Ｓ−ＳＣＨ）を受信して基地局と同期を取り、セルＩＤなどの情報を取得することができる。その後、端末は、基地局から物理放送チャネル（Ｐｈｙｓｉｃａｌ  Ｂｒｏａｄｃａｓｔ  Ｃｈａｎｎｅｌ）を受信してセル内の放送情報を取得することができる。一方、端末は、初期セル探索段階で下りリンク参照信号（Ｄｏｗｎｌｉｎｋ  Ｒｅｆｅｒｅｎｃｅ  Ｓｉｇｎａｌ、ＤＬ  ＲＳ）を受信して下りリンクチャネル状態を確認することができる。
【００４４】
初期セル探索を終えた端末は、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）及び前記ＰＤＣＣＨに載せられた情報によって物理下りリンク共有チャネル（Ｐｈｙｓｉｃａｌ  Ｄｏｗｎｌｉｎｋ  Ｓｈａｒｅｄ  Ｃｈａｎｎｅｌ、ＰＤＳＣＨ）を受信することによって、より具体的なシステム情報を取得することができる（Ｓ３０２）。
【００４５】
一方、基地局に最初に接続したり、信号送信のための無線リソースがない場合、端末は、基地局に対してランダムアクセス手順（Ｒａｎｄｏｍ  Ａｃｃｅｓｓ  Ｐｒｏｃｅｄｕｒｅ、ＲＡＣＨ）を行うことができる（Ｓ３０３〜Ｓ３０６）。そのために、端末は、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）を介して特定シーケンスをプリアンブルを通じて送信し（Ｓ３０３及びＳ３０５）、ＰＤＣＣＨ及び対応するＰＤＳＣＨを介してプリアンブルに対する応答メッセージを受信することができる（Ｓ３０４及びＳ３０６）。競合ベースのＲＡＣＨの場合、端末は、さらに衝突解決手順（Ｃｏｎｔｅｎｔｉｏｎ  Ｒｅｓｏｌｕｔｉｏｎ  Ｐｒｏｃｅｄｕｒｅ）を行うことができる。
【００４６】
上述したような手順を行った端末は、その後、一般的な上りリンク／下りリンク信号送信手順として、ＰＤＣＣＨ／ＰＤＳＣＨ受信（Ｓ３０７）及び物理上りリンク共有チャネル（Ｐｈｙｓｉｃａｌ  Ｕｐｌｉｎｋ  Ｓｈａｒｅｄ  Ｃｈａｎｎｅｌ、ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）送信（Ｓ３０８）を行うことができる。特に、端末は、ＰＤＣＣＨを介して下りリンク制御情報（Ｄｏｗｎｌｉｎｋ  Ｃｏｎｔｒｏｌ  Ｉｎｆｏｒｍａｔｉｏｎ、ＤＣＩ）を受信する。ここで、ＤＣＩは、端末に対するリソース割り当て情報などの制御情報を含み、その使用目的に応じてフォーマットが互いに異なる。
【００４７】
一方、端末が上りリンクを介して基地局に送信したり、又は端末が基地局から受信する制御情報は、下りリンク／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムの場合、端末は、上述したＣＱＩ／ＰＭＩ／ＲＩなどの制御情報をＰＵＳＣＨ及び／又はＰＵＣＣＨを介して送信することができる。
【００４８】
図４は、ＬＴＥシステムで使用される無線フレームの構造を例示する図である。
【００４９】
図４を参照すると、無線フレーム（ｒａｄｉｏ  ｆｒａｍｅ）は、１０ｍｓ（３２７２００×Ｔｓ）の長さを有し、１０個の均等なサイズのサブフレームで構成されている。それぞれのサブフレームは、１ｍｓの長さを有し、２個のスロットで構成されている。それぞれのスロットは、０．５ｍｓ（１５３６０×Ｔｓ）の長さを有する。ここで、Ｔｓはサンプリング時間を表し、Ｔｓ＝１／（１５ｋＨｚ×２０４８）＝３．２５５２×１０−８（約３３ｎｓ）と表示される。スロットは、時間領域で複数のＯＦＤＭシンボルを含み、周波数領域で複数のリソースブロック（Ｒｅｓｏｕｒｃｅ  Ｂｌｏｃｋ、ＲＢ）を含む。ＬＴＥシステムにおいて、一つのリソースブロックは１２個の副搬送波×７（６）個のＯＦＤＭシンボルを含む。データが送信される単位時間であるＴＴＩ（ｔｒａｎｓｍｉｓｓｉｏｎ  ｔｉｍｅ  ｉｎｔｅｒｖａｌ）は、一つ以上のサブフレーム単位と定めることができる。上述した無線フレームの構造は例示に過ぎなく、無線フレームに含まれるサブフレームの数、サブフレームに含まれるスロットの数、スロットに含まれるＯＦＤＭシンボルの数は多様に変更可能である。
【００５０】
図５は、下りリンク無線フレームにおいて一つのサブフレームの制御領域に含まれる制御チャネルを例示する図である。
【００５１】
図５を参照すると、サブフレームは１４個のＯＦＤＭシンボルで構成されている。サブフレームの設定により、最初の１個〜３個のＯＦＤＭシンボルは制御領域として使用され、残りの１３個〜１１個のＯＦＤＭシンボルはデータ領域として使用される。図面において、Ｒ１〜Ｒ４は、アンテナ０〜３に対する基準信号（Ｒｅｆｅｒｅｎｃｅ  Ｓｉｇｎａｌ（ＲＳ）又はＰｉｌｏｔ  Ｓｉｇｎａｌ）を示す。ＲＳは、制御領域及びデータ領域とは関係なく、サブフレーム内に一定のパターンで固定される。制御チャネルは、制御領域の中でＲＳが割り当てられていないリソースに割り当てられ、トラフィックチャネルもデータ領域の中でＲＳが割り当てられてないリソースに割り当てられる。制御領域に割り当てられる制御チャネルとしては、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などがある。
【００５２】
ＰＣＦＩＣＨは、物理制御フォーマット指示子チャネルであって、毎サブフレームごとにＰＤＣＣＨに使用されるＯＦＤＭシンボルの個数を端末に知らせる。ＰＣＦＩＣＨは、最初のＯＦＤＭシンボルに位置し、ＰＨＩＣＨ及びＰＤＣＣＨに優先して設定される。ＰＣＦＩＣＨは、４つのＲＥＧ（Ｒｅｓｏｕｒｃｅ  Ｅｌｅｍｅｎｔ  Ｇｒｏｕｐ）で構成され、それぞれのＲＥＧは、セルＩＤ（Ｃｅｌｌ  ＩＤｅｎｔｉｔｙ）に基づいて制御領域内に分散される。一つのＲＥＧは４つのＲＥ（Ｒｅｓｏｕｒｃｅ  Ｅｌｅｍｅｎｔ）で構成される。ＲＥは、一つの副搬送波×一つのＯＦＤＭシンボルとして定義される最小物理リソースを示す。ＰＣＦＩＣＨ値は、帯域幅によって１〜３又は２〜４の値を指示し、ＱＰＳＫ（Ｑｕａｄｒａｔｕｒｅ  Ｐｈａｓｅ  Ｓｈｉｆｔ  Ｋｅｙｉｎｇ）で変調される。
【００５３】
ＰＨＩＣＨは、物理ＨＡＲＱ（Ｈｙｂｒｉｄ−Ａｕｔｏｍａｔｉｃ  Ｒｅｐｅａｔ  ａｎｄ  ｒｅｑｕｅｓｔ）指示子チャネルであって、上りリンク送信に対するＨＡＲＱ  ＡＣＫ／ＮＡＣＫを運ぶのに使用される。すなわち、ＰＨＩＣＨは、ＵＬ  ＨＡＲＱのためのＤＬ  ＡＣＫ／ＮＡＣＫ情報が送信されるチャネルを示す。ＰＨＩＣＨは１個のＲＥＧで構成され、セル特定（ｃｅｌｌ−ｓｐｅｃｉｆｉｃ）にスクランブルされる。ＡＣＫ／ＮＡＣＫは１ビットで指示され、ＢＰＳＫ（Ｂｉｎａｒｙ  ｐｈａｓｅ  ｓｈｉｆｔ  ｋｅｙｉｎｇ）で変調される。変調されたＡＣＫ／ＮＡＣＫは、拡散因子（Ｓｐｒｅａｄｉｎｇ  Ｆａｃｔｏｒ、ＳＦ）＝２又は４に拡散される。同一のリソースにマップされる複数のＰＨＩＣＨはＰＨＩＣＨグループを構成する。ＰＨＩＣＨグループに多重化されるＰＨＩＣＨの個数は、拡散コードの個数によって決定される。ＰＨＩＣＨ（グループ）は、周波数領域及び／又は時間領域でダイバーシティ利得を得るために３回繰り返される。
【００５４】
ＰＤＣＣＨは、物理下りリンク制御チャネルであって、サブフレームの最初のｎ個のＯＦＤＭシンボルに割り当てられる。ここで、ｎは、１以上の整数であって、ＰＣＦＩＣＨによって指示される。ＰＤＣＣＨは一つ以上のＣＣＥで構成される。ＰＤＣＣＨは、伝送チャネルであるＰＣＨ（Ｐａｇｉｎｇ  ｃｈａｎｎｅｌ）及びＤＬ―ＳＣＨ（Ｄｏｗｎｌｉｎｋ―ｓｈａｒｅｄ  ｃｈａｎｎｅｌ）のリソース割当てと関連する情報、上りリンクスケジューリンググラント（Ｕｐｌｉｎｋ  Ｓｃｈｅｄｕｌｉｎｇ  Ｇｒａｎｔ）、ＨＡＲＱ情報などを各端末又は端末グループに知らせる。ＰＣＨ（Ｐａｇｉｎｇ  ｃｈａｎｎｅｌ）及びＤＬ―ＳＣＨ（Ｄｏｗｎｌｉｎｋ―ｓｈａｒｅｄ  ｃｈａｎｎｅｌ）はＰＤＳＣＨを介して送信される。したがって、基地局と端末は、一般に特定制御情報又は特定サービスデータを除いては、ＰＤＳＣＨを介してデータをそれぞれ送信及び受信する。
【００５５】
ＰＤＳＣＨのデータがいずれの端末（一つ又は複数の端末）に送信されるものであり、前記端末がどのようにＰＤＳＣＨデータを受信してデコードしなければならないのかに対する情報などはＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスク（ｍａｓｋｉｎｇ）されており、「Ｂ」という無線リソース（例、周波数位置）及び「Ｃ」というＤＣＩフォーマット、すなわち、送信形式情報（例、送信ブロックサイズ、変調方式、コーディング情報など）を用いて送信されるデータに関する情報が特定サブフレームを介して送信されると仮定する。この場合、セル内の端末は、自身が持っているＲＮＴＩ情報を用いてＰＤＣＣＨをモニタし、「Ａ」ＲＮＴＩを有している一つ以上の端末がある場合、各端末はＰＤＣＣＨを受信し、受信したＰＤＣＣＨの情報を通じて「Ｂ」と「Ｃ」によって指示されるＰＤＳＣＨを受信する。
【００５６】
図６は、ＬＴＥシステムで使用される上りリンクサブフレームの構造を示す図である。
【００５７】
図６を参照すると、上りリンクサブフレームは、制御情報を運ぶＰＵＣＣＨ（Ｐｈｙｓｉｃａｌ  Ｕｐｌｉｎｋ  Ｃｏｎｔｒｏｌ  ＣＨａｎｎｅｌ）が割り当てられる領域と、ユーザデータを運ぶＰＵＳＣＨ（Ｐｈｙｓｉｃａｌ  Ｕｐｌｉｎｋ  Ｓｈａｒｅｄ  ＣＨａｎｎｅｌ）が割り当てられる領域とに分けることができる。サブフレームの中間部分がＰＵＳＣＨに割り当てられ、周波数領域でデータ領域の両側部分がＰＵＣＣＨに割り当てられる。ＰＵＣＣＨ上に送信される制御情報としては、ＨＡＲＱに使用されるＡＣＫ／ＮＡＣＫ、下りリンクチャネル状態を示すＣＱＩ（Ｃｈａｎｎｅｌ  Ｑｕａｌｉｔｙ  Ｉｎｄｉｃａｔｏｒ）、ＭＩＭＯのためのＲＩ（Ｒａｎｋ  Ｉｎｄｉｃａｔｏｒ）、上りリンクリソース割り当て要請であるＳＲ（Ｓｃｈｅｄｕｌｉｎｇ  Ｒｅｑｕｅｓｔ）などがある。一つの端末に対するＰＵＣＣＨは、サブフレーム内の各スロットで別個の周波数を占める一つのリソースブロックを使用する。すなわち、ＰＵＣＣＨに割り当てられる２個のリソースブロックは、スロット境界で周波数ホップ（ｆｒｅｑｕｅｎｃｙ  ｈｏｐｐｉｎｇ）される。特に、図６は、ｍ＝０であるＰＵＣＣＨ、ｍ＝１であるＰＵＣＣＨ、ｍ＝２であるＰＵＣＣＨ、ｍ＝３であるＰＵＣＣＨがサブフレームに割り当てられることを例示する。
【００５８】
以下、ＭＩＭＯシステムに対して説明する。ＭＩＭＯ（Ｍｕｌｔｉｐｌｅ−Ｉｎｐｕｔ  Ｍｕｌｔｉｐｌｅ−Ｏｕｔｐｕｔ）は、複数の送信アンテナと複数の受信アンテナを使用する方法であって、この方法によってデータの送受信効率を向上させることができる。すなわち、無線通信システムの送信端或いは受信端で複数のアンテナを使用することによって、容量を増大させ、性能を向上させることができる。以下、本文献で、ＭＩＭＯを「多重アンテナ」と称することができる。
【００５９】
多重アンテナ技術では、一つの全体メッセージを受信するために単一アンテナ経路に依存しない。その代わりに、多重アンテナ技術では、多くのアンテナで受信されたデータフラグメントを一ヶ所に集めて併合することによってデータを完成する。多重アンテナ技術を使用すると、特定サイズのセル領域内でデータ送信速度を向上させたり、又は特定データ送信速度を保証しながらシステムカバレッジを増加させることができる。また、この技術は、移動通信端末と中継器などに幅広く使用することができる。多重アンテナ技術によると、単一アンテナを使用していた従来技術による移動通信における送信量の限界を克服することができる。
【００６０】
一般的な多重アンテナ（ＭＩＭＯ）通信システムの構成図を図７に示している。送信端にはＮＴ個の送信アンテナが設置されており、受信端ではＮＲ個の受信アンテナが設置されている。このように送信端及び受信端でいずれも複数のアンテナを使用する場合は、送信端及び受信端のうちのいずれか一つにのみ複数のアンテナを使用する場合に比べて理論的なチャネル送信容量が増加する。チャネル送信容量の増加はアンテナの数に比例する。よって、送信レートが向上し、周波数効率が向上する。一つのアンテナを用いる場合の最大送信レートをＲｏとした場合、多重アンテナを使用するときの送信レートは、理論的に、下記の数式１のように最大送信レートＲｏにレート増加率Ｒｉを掛けた分だけ増加し得る。ここで、Ｒｉは、ＮＴ及びＮＲのうち小さい値である。
【００６１】
【数１】
2019106729.tif 000003
【００６２】
例えば、４個の送信アンテナと４個の受信アンテナを用いるＭＩＭＯ通信システムでは、単一アンテナシステムに比べて理論上４倍の送信レートを取得することができる。このような多重アンテナシステムの理論的な容量増加が９０年代中盤に証明されて以来、実質的にデータ送信率を向上させるための多様な技術が現在まで活発に研究されており、これらのうちいくつかの技術は、既に３世代移動通信と次世代無線ＬＡＮなどの多様な無線通信の標準に反映されている。
【００６３】
現在までの多重アンテナ関連研究動向を検討すると、多様なチャネル環境及び多重接続環境における多重アンテナ通信容量計算などと関連する情報理論側面研究、多重アンテナシステムの無線チャネル測定及び模型導出研究、そして、送信信頼度向上及び送信率向上のための時空間信号処理技術研究などの多様な観点で活発な研究が進められている。
【００６４】
多重アンテナシステムにおける通信方法をより具体的な方法で説明するために、これを数学的にモデルする場合、次のように示すことができる。図７に示したように、ＮＴ個の送信アンテナとＮＲ個の受信アンテナが存在すると仮定する。まず、送信信号に対して検討すると、ＮＴ個の送信アンテナがある場合、最大送信可能な情報はＮＴ個であるので、送信情報を下記の数式２のようなベクトルで示すことができる。
【００６５】
【数２】
2019106729.tif 000004
【００６６】
一方、それぞれの送信情報
【化１】
2019106729.tif 000005
において送信電力を異ならせることができ、ここで、それぞれの送信電力を
【化２】
2019106729.tif 000006
とする場合、送信電力が調整された送信情報をベクトルで示すと、下記の数式３の通りである。
【００６７】
【数３】
2019106729.tif 000007
【００６８】
また、
【化３】
2019106729.tif 000008
を送信電力の対角行列
【化４】
2019106729.tif 000009
を用いて示すと、下記の数式４の通りである。
【００６９】
【数４】
2019106729.tif 000010
【００７０】
一方、送信電力が調整された情報ベクトル
【化５】
2019106729.tif 000011
に加重値行列
【化６】
2019106729.tif 000012
が適用され、実際に送信されるＮＴ個の送信信号（ｔｒａｎｓｍｉｔｔｅｄ  ｓｉｇｎａｌ）
【化７】
2019106729.tif 000013
が構成される場合を考慮してみる。ここで、加重値行列は、送信情報を送信チャネル状況などに応じて各アンテナに適宜分配する役割をする。このような送信信号
【化８】
2019106729.tif 000014
は、ベクトル
【化９】
2019106729.tif 000015
を用いて下記の数式５のように示すことができる。ここで、
【化１０】
2019106729.tif 000016
は、
【化１１】
2019106729.tif 000017
番目の送信アンテナと
【化１２】
2019106729.tif 000018
番目の情報に対応する加重値を意味する。
【化１３】
2019106729.tif 000019
は、加重値行列（Ｗｅｉｇｈｔ  Ｍａｔｒｉｘ）又はプリコーディング行列（Ｐｒｅｃｏｄｉｎｇ  Ｍａｔｒｉｘ）と呼ばれる。
【００７１】
【数５】
2019106729.tif 000020
【００７２】
一般に、チャネル行列のランクの物理的な意味は、与えられたチャネルで別個の情報を送ることができる最大数であると言える。したがって、チャネル行列のランクは、互いに独立的である行（ｒｏｗ）及び列（ｃｏｌｕｍｎ）の個数のうち最小個数によって定義されるので、行列のランクは行又は列の個数より大きくなり得ない。数式的に例を挙げると、チャネル行列Ｈのランク（ｒａｎｋ（Ｈ））は数式６のように制限される。
【００７３】
【数６】
2019106729.tif 000021
【００７４】
また、多重アンテナ技術を使用して送る別個の情報のそれぞれを「送信ストリーム」又は簡単に「ストリーム」と定義することにする。このような「ストリーム」は、「レイヤー」と称することができる。そうすると、送信ストリームの個数は、当然、別個の情報を送ることができる最大数であるチャネルのランクより大きくなり得ない。よって、チャネル行列Ｈは、下記の数式７のように示すことができる。
【００７５】
【数７】
2019106729.tif 000022
【００７６】
ここで、「＃  ｏｆ  ｓｔｒｅａｍｓ」は、ストリームの数を示す。一方、ここで、一つのストリームは、一つ以上のアンテナを介して送信され得ることに注意しなければならない。
【００７７】
一つ以上のストリームを多数のアンテナに対応させる多様な方法が存在し得る。この方法を、多重アンテナ技術の種類によって次のように説明することができる。一つのストリームが多くのアンテナを経て送信される場合は空間ダイバーシティ方式と見ることができ、多くのストリームが多くのアンテナを経て送信される場合は空間マルチプレキシング方式と見ることができる。もちろん、その中間である空間ダイバーシティと空間マルチプレキシングとの混合（Ｈｙｂｒｉｄ）された形態も可能である。
【００７８】
図８は、Ｄ２Ｄ通信を概念的に説明するための図である。図８（ａ）は、既存の基地局中心の通信方式を示すものであって、第１端末（ＵＥ１）が上りリンク上で基地局にデータを送信し、第１端末（ＵＥ１）からのデータを基地局が下りリンク上で第２端末（ＵＥ２）に送信することができる。
【００７９】
図８（ｂ）は、Ｄ２Ｄ通信の一例として端末−対−端末（ＵＥ−ｔｏ−ＵＥ）通信方式を示すものであって、端末間のデータ交換が基地局を経ずに行われ得る。このように各装置間に直接設定されるリンクをＤ２Ｄリンクと称することができる。Ｄ２Ｄ通信は、既存の基地局中心の通信方式に比べて遅延（ｌａｔｅｎｃｙ）が減少し、より少ない無線リソースを必要とするなどの長所を有する。
【００８０】
Ｄ２Ｄ通信は、基地局を経ずに装置間（又は端末間）の通信を支援する方式であるが、Ｄ２Ｄ通信は、既存の無線通信システム（例えば、３ＧＰＰ  ＬＴＥ／ＬＴＥ−Ａ）のリソースを再使用して行われるので、既存の無線通信システムに干渉又は撹乱を起こしてはならない。同一の脈絡で、既存の無線通信システムで動作する端末、基地局などによってＤ２Ｄ通信が受ける干渉を最小化することも重要である。
【００８１】
以下では、上述した内容に基づいて、本発明に係るＤ２Ｄ通信においてスクランブリングシーケンス（ｓｃｒａｍｂｌｉｎｇ  ｓｅｑｕｅｎｃｅ）とＤＭＲＳ（ＤｅＭｏｄｕｌａｔｉｏｎ−Ｒｅｆｅｒｅｎｃｅ  Ｓｉｇｎａｌ）を効率的に送信させる方案に対して説明する。
【００８２】
上述した図８（ｂ）を参照して本発明が適用されるＤ２Ｄ通信を再度説明する。図８（ｂ）では、説明の便宜上、ＵＥがユーザの端末を示すが、ｅＮＢなどのネットワーク装備は、ＵＥ間の通信方式によって信号を送受信する場合にも本発明が適用され得るＵＥと見なすこともできる。
【００８３】
図８（ｂ）を参照して説明すると、ＵＥ１は、一連のリソースの集合を意味するリソースプール内で特定リソースに該当するリソースユニットを選択し、該当リソースユニットを使用してＤ２Ｄ信号を送信するように動作することができる。これによって、受信ＵＥ（すなわち、ＵＥ２）は、ＵＥ１が信号を送信できるリソースプールの設定を受け、該当リソースプール内でＵＥ１の信号を検出することができる。ここで、リソースプールは、ＵＥ１がｉ）基地局の連結範囲にある場合（ｉｎ  ｃｏｖｅｒａｇｅ）は基地局が知らせてもよく、ｉｉ）基地局の連結範囲外にある場合（ｏｕｔ  ｏｆ  ｃｏｖｅｒａｇｅ）は他のＵＥが知らせたり或いは事前に定められたリソースと決定されてもよい。一般に、リソースプールは複数のリソースユニットで構成され、各ＵＥは、一つ或いは複数のリソースユニットを選定して自身のＤ２Ｄ信号送信に使用することができる。
【００８４】
図９は、リソースユニットの構成の一実施例を説明するための参考図である。図９は、全体の周波数資源がＮＦ個に分割され、全体の時間リソースがＮＴ個に分割され、合計ＮＦ＊ＮＴ個のリソースユニットが設定される場合を示す。ここで、前記リソースプールは、ＮＴサブフレーム区間を周期にして繰り返されると言える。また、一つのリソースユニットは、図９に示したように周期的に繰り返して表れ得る。さらに、時間／周波数次元でのダイバーシティ効果を得るために、一つの論理的リソースユニットがマップされる物理的リソースユニットのインデックスが時間と共に事前に定められたパターンで変更される場合もある。図９のようなリソースユニットの構造／形態において、リソースプールとは、Ｄ２Ｄ信号を送信しようとするＵＥが送信に使用可能なリソースユニットの集合を意味することもできる。
【００８５】
また、リソースプールは多くの種類に細分化することができる。まず、リソースプールは、各リソースプールで送信されるＤ２Ｄ信号の内容によって区分することができる。例えば、Ｄ２Ｄ信号の内容は以下のように区分することができ、それぞれに対して別途のリソースプールを設定することができる。
【００８６】
−  スケジューリング割り当て（Ｓｃｈｅｄｕｌｉｎｇ  ａｓｓｉｇｎｍｅｎｔ、ＳＡ）：これは、各送信ＵＥが後行するＤ２Ｄデータチャネルの送信に使用するリソースの位置、その他のデータチャネルの復調のために必要なＭＣＳ（ｍｏｄｕｌａｔｉｏｎ  ａｎｄ  ｃｏｄｉｎｇ  ｓｃｈｅｍｅ）、及びＭＩＭＯ送信方式などの情報を含む信号として区分することができる。ＳＡ信号は、同一のリソースユニット上でＤ２Ｄデータと共に多重化されて送信されることも可能であり、この場合、ＳＡリソースプールとは、ＳＡがＤ２Ｄデータと多重化されて送信されるリソースプールを意味することもできる。
【００８７】
−  Ｄ２Ｄデータチャネル：これは、ＳＡを通じて指定されたリソースを使用して送信ＵＥがユーザデータを送信するのに使用するリソースプールとして区分することができる。同一のリソースユニット上でＤ２Ｄデータと共に多重化されて送信され得る場合、Ｄ２ＤデータチャネルのためのリソースプールではＳＡ情報を除いた形態のＤ２Ｄデータチャネルのみが送信される形態になり得る。言い換えると、ＳＡリソースプール内の個別リソースユニット上でＳＡ情報を送信するのに使用されていたリソース要素を、Ｄ２ＤデータチャネルリソースプールではＤ２Ｄデータを送信するために使用することができる。
【００８８】
−  ディスカバリメッセージ（Ｄｉｓｃｏｖｅｒｙ  ｍｅｓｓａｇｅ）：これは、送信ＵＥが自身のＩＤなどの情報を送信し、隣接ＵＥが自身を発見できるようにするメッセージのためのリソースプールとして区分することができる。
【００８９】
また、上述したＤ２Ｄ信号の内容が同一である場合にも、Ｄ２Ｄ信号の送受信属性によって異なるリソースプールを使用することができる。例えば、同一のＤ２Ｄデータチャネルやディスカバリメッセージであるとしても、ｉ）Ｄ２Ｄ信号の送信タイミング決定方式（例えば、同期基準信号の受信時点で送信されるか否か、或いは同期基準信号の受信時点で一定のタイミングアドバンス（ｔｉｍｉｎｇ  ａｄｖａｎｃｅ）を適用して送信されるか否か）、ｉｉ）リソース割り当て方式（例えば、個別信号の送信リソースをｅＮＢが個別送信ＵＥに指定するか否か、或いは個別送信ＵＥがリソースプール内で自体的に個別信号送信リソースを選択するか否か）、或いはｉｉｉ）信号フォーマット（ｓｉｇｎａｌ  ｆｏｒｍａｔ）（例えば、各Ｄ２Ｄ信号が一つのサブフレームで占めるシンボルの個数、或いは一つのＤ２Ｄ信号の送信に使用されるサブフレームの個数）によって、異なるリソースプールとして区分されてもよい。
【００９０】
すなわち、Ｄ２Ｄでデータを送信しようとするＵＥは、まず、ＳＡリソースプール（ｓｃｈｅｄｕｌｉｎｇ  ａｓｓｉｇｎｍｅｎｔ  ｒｅｓｏｕｒｃｅ  ｐｏｏｌ）から適切なリソースを選択し、自身のＳＡを送信する。このとき、ＳＡリソース選択の基準としては、ｉ）他のＵＥのＳＡ送信がないリソース、或いはｉｉ）他のＵＥのＳＡによって後行するサブフレームにおけるデータ送信がないと予想されるリソースのうち少なくとも一つと連動するＳＡリソースを優先的に考慮することができる。さらに、ＵＥは、干渉レベルが低いと予想されるデータ送信リソースと連動するＳＡリソースを選択することもできる。
【００９１】
図１０は、本発明にＳＡリソースプールとＤ２Ｄデータチャネルリソースプールが周期的に表れる場合を示す。図１０に示したように、一般に、ＳＡリソースプールは、Ｄ２Ｄデータチャネルリソースプール（Ｄ２Ｄ  ｄａｔａ  ｃｈａｎｎｅｌ  ｒｅｓｏｕｒｃｅ  ｐｏｏｌ）に先行して表れ、受信ＵＥは、まず、ＳＡの検出を試み、自身が受信する必要があるデータが存在することを発見した場合、連動するデータリソースで受信を試みる。よって、図１０のようにＳＡリソースプールと後行するＤ２Ｄデータチャネルリソースプールが周期的に配置されることによって、ＳＡリソースプールが表れる周期を、以下、本発明ではＳＡ周期と命名する。
【００９２】
まず、隣接セル間のＤ２Ｄ通信に対して説明する。
【００９３】
Ｄ２Ｄでは、隣接セル間のＤ２Ｄ通信も可能である。隣接セル間のＤ２Ｄ通信とは、別個のサービングセルを有するＵＥ同士もＤ２Ｄ通信を行うことを意味する。このとき、隣接したセル間では同期が取られる場合もあるが、時には別個の同期を有している場合もある。
【００９４】
例えば、セル（Ｃｅｌｌ）１のサブフレームインデックスが０、１、２、３…のように順次インデックスされた場合、セル２がセル１のサブフレームインデックスより３サブフレームだけ遅延された同期を有していると、セル１のサブフレームインデックスが３である時点でセル２のサブフレームインデックスが０であり得る。言い換えると、セル１がサブフレームインデックス３、４、５、６…であるとき、セル２は０、１、２、３…のようにインデックスされている場合がある。このとき、スクランブリングシーケンスとＤＭＲＳを発生させるためにサブフレームインデックスを使用すると、隣接セル間のＤ２Ｄのために、受信ＵＥは、多数のサブフレームインデックスを対象にしてスクランブリングシーケンスとＤＭＲＳを対照しなければならなく、このような過程でシステム性能が低下するという問題が発生し得る。
【００９５】
本発明では、以上で言及したようにセル間の互いの同期が取られない場合に生じ得るＤＭＲＳとスクランブリングシーケンスに対する問題を解決するために、Ｄ２Ｄ環境でセル間のサブフレームインデックスのオフセット情報（例、ｏｆｆｓｅｔ  ｔｅｒｍ）を、スクランブリングシーケンスとＤＭＲＳを発生させるときに用いることを提案する。
【００９６】
第１方案
【００９７】
よって、本発明の第１方案によると、まず、各セルは、それらの間の同期を互いに次のように知らせ、送受信ＵＥにも知らせることができる。
【００９８】
方案１−Ａ．まず、各セルは、それらの間の同期情報を互いに知らせる。例えば、各セルは、同期情報のためにＤ２Ｄサブフレームインデックスの開始点又はＢＣＨ（Ｂｒｏａｄｃａｓｔ  ＣＨａｎｎｅｌ）を知らせることができる。
【００９９】
方案１−Ｂ．前記１−Ａを通じて取得した同期に基づいて、各セルは、サブフレームインデックスのためのリファレンスセル（ｒｅｆｅｒｅｎｃｅ  ｃｅｌｌ）を決定することができる。（ここで、セルは、自身をリファレンスセルと決定し、サブフレームインデックスを自身のものとして使用することもできる。）
【０１００】
方案１−Ｃ．該当セルがリファレンスセルでない場合、各セルは、ＲＲＣシグナリングを通じて送受信ＵＥにリファレンスセルに対する情報を知らせることができる。このとき、スクランブリングシーケンスとＤＭＲＳのために使用するようになるリファレンスセルとセル自身との間のｉ）サブフレームインデックスのオフセット部分、又はｉｉ）スロットインデックスのオフセット部分を送受信ＵＥにＲＲＣシグナリングを用いて知らせることができる。
【０１０１】
又は、特定の一つのセルのサブフレームインデックスでない新しいサブフレームインデックス（又はスロットインデックス）を作って使用することもできる（すなわち、ｒｅ−ｉｎｄｅｘｉｎｇ）。このとき、方案１−Ｃでオフセット情報（例、ｏｆｆｓｅｔ  ｔｅｒｍ）を送受信ＵＥに知らせるとき、新しいサブフレームインデックスとセル自身のサブフレームインデックスとの間の差を計算し、オフセット情報を知らせることができる。又は、新しいスロットインデックスとセル自身のスロットインデックスとの間の差を計算し、オフセット情報を知らせることもできる。
【０１０２】
図１１は、本発明の第１方案を説明するための参考図である。
【０１０３】
図１１に示すように、セル１、セル２、セル３がそれぞれ異なるサブフレーム同期を有する場合を仮定して本発明の適用例を検討する。図１１において、セル１のサブフレームインデックス３であるとき、セル２はサブフレームインデックス１で、セル３はサブフレームインデックス０になる。また、本発明が適用され、セル２とセル３がいずれもセル１をリファレンスセルとして決定したと仮定する。
【０１０４】
この場合、セル２は、サブフレームインデックスのオフセットがセル１に比べて「２」になり、セル３は、サブフレームインデックスのオフセットがセル１に比べて「３」になる。セル１と自身のサブフレームインデックス差を知らせると仮定すると、セル２は、セル２にあるＤ２Ｄ  ＵＥにサブフレームオフセット値「２」をＲＲＣシグナリングを用いて知らせる。同様に、セル３は、セル３にあるＤ２Ｄ  ＵＥにサブフレームオフセット値「３」をＲＲＣシグナリングを用いて知らせることができる。このとき、セル２にあるＤ２Ｄ送信ＵＥは、自身のサービングセルのサブフレームインデックスにオフセット情報「２」を加えたサブフレームインデックスをスクランブリングシーケンスとＤＭＲＳの生成時に使用する。同様に、セル３にあるＤ２Ｄ受信ＵＥは、自身のサービングセルのサブフレームインデックスにオフセット情報「３」を加えたサブフレームインデックスをスクランブリングシーケンスとＤＭＲＳの生成時に使用したと仮定し、検出を行うことができる。
【０１０５】
本発明の第１方案により、Ｄ２Ｄスクランブリングシーケンスを生成する方案をより具体的に説明する。まず、現在、ＬＴＥのＰＵＳＣＨのスクランブリングシーケンスの初期値は、以下の数式８のように定義されている。
【０１０６】
【数８】
2019106729.tif 000023
数式８において、
【化１４】
2019106729.tif 000024
は、上位層シグナリングによって受ける値で、
【化１５】
2019106729.tif 000025
は、コードワードの個数で、
【化１６】
2019106729.tif 000026
はデータのサブフレームインデックスを意味し、
【化１７】
2019106729.tif 000027
はセルＩＤである。
【０１０７】
よって、本発明の第１方案では、数式８を以下の規則Ａ−１〜規則Ａ−６によって変形し、Ｄ２Ｄデータのスクランブリングシーケンスの初期値を決定することができる。
【０１０８】
●Ａ−１：数式８において、
【化１８】
2019106729.tif 000028
値を他のセル又は新しく作ったサブフレームインデックス（例えば、リインデックスされたサブフレームインデックス）に取り替えることができる。ここで、
【化１９】
2019106729.tif 000029
値は、各セルのリソースプールにおけるスロットインデックスであり得る。
【０１０９】
●Ａ−２：数式８において、
【化２０】
2019106729.tif 000030
値を他のセル又は新しく作ったスロットインデックス（例えば、リインデックスされたスロットインデックス）に取り替えることができる。ここで、
【化２１】
2019106729.tif 000031
値は、各セルのリソースプールにおけるスロットインデックスであり得る。
【０１１０】
●Ａ−３：数式８において、
【化２２】
2019106729.tif 000032
値を
【化２３】
2019106729.tif 000033
値に取り替えることができる。このとき、
【化２４】
2019106729.tif 000034
値は、サブフレームインデックスに対するオフセット情報であって、方案１−Ｃで説明した通りである。ここで、
【化２５】
2019106729.tif 000035
値は、各セルのリソースプールにおけるスロットインデックスであり得る。
【０１１１】
●Ａ−４：数式８において、
【化２６】
2019106729.tif 000036
値を
【化２７】
2019106729.tif 000037
値に取り替えることができる。このとき、
【化２８】
2019106729.tif 000038
値は、スロットインデックスに対するオフセット情報であって、方案１−Ｃで説明した通りである。ここで、
【化２９】
2019106729.tif 000039
値は、各セルのリソースプールにおけるスロットインデックスであり得る。
【０１１２】
●Ａ−５：数式８において、
【化３０】
2019106729.tif 000040
値は、送信ＵＥがそのまま使用し、受信ＵＥは、
【化３１】
2019106729.tif 000041
値を自身のサービングセルのスロットインデックスである
【化３２】
2019106729.tif 000042
値と送信ＵＥが属したセルのサブフレームインデックスオフセット情報である
【化３３】
2019106729.tif 000043
を用いて
【化３４】
2019106729.tif 000044
に取り替えて検出を行うことができる。この場合、各セルは、自身のＤ２Ｄ  ＵＥに他のセルの
【化３５】
2019106729.tif 000045
をＲＲＣシグナリングを用いて知らせることができる。ここで、
【化３６】
2019106729.tif 000046
値は、受信ＵＥが属したセルのリソースプールにおけるスロットインデックスであり得る。
【０１１３】
●Ａ−６：数式８において、
【化３７】
2019106729.tif 000047
値は、送信ＵＥがそのまま使用し、受信ＵＥは、
【化３８】
2019106729.tif 000048
値を自身のサービングセルのスロットインデックスである
【化３９】
2019106729.tif 000049
値と送信ＵＥが属したセルのスロットインデックスオフセット情報である
【化４０】
2019106729.tif 000050
を用いて
【化４１】
2019106729.tif 000051
に取り替えて検出を行うことができる。この場合、各セルは、自身のＤ２Ｄ  ＵＥに他のセルの
【化４２】
2019106729.tif 000052
をＲＲＣシグナリングを用いて知らせることができる。ここで、
【化４３】
2019106729.tif 000053
値は、受信ＵＥが属したセルのリソースプールにおけるスロットインデックスであり得る。
【０１１４】
すなわち、上述した規則Ａ−５及び規則Ａ−６は、各セルが自身のＤ２Ｄ  ＵＥに他のセルのオフセット情報をＲＲＣシグナリングを用いて知らせると仮定して適用することができる。
【０１１５】
また、本発明の第１方案により、Ｄ２Ｄ  ＤＭＲＳの循環シフト（Ｃｙｃｌｉｃ  Ｓｈｉｆｔ、ＣＳ）値は異なる形に定義することができる。まず、現在のＬＴＥ通信システム上のＰＵＳＣＨ  ＤＭＲＳのＣＳ値は数式９で定義される。
【０１１６】
【数９】
2019106729.tif 000054
数式９において、
【化４４】
2019106729.tif 000055
の値は数式１０によって決定される。
【０１１７】
【数１０】
2019106729.tif 000056
数式１０において、
【化４５】
2019106729.tif 000057
の値は、上位層シグナリングによって指示される値で、
【化４６】
2019106729.tif 000058
値はＤＣＩによって指示される値で、
【化４７】
2019106729.tif 000059
の値は数式１１によって決定される。
【０１１８】
【数１１】
2019106729.tif 000060
【０１１９】
数式１１において、
【化４８】
2019106729.tif 000061
のための
【化４９】
2019106729.tif 000062
値は数式１２によって決定される。
【０１２０】
【数１２】
2019106729.tif 000063
【０１２１】
数式１２において、
【化５０】
2019106729.tif 000064
の値はセルＩＤで、
【化５１】
2019106729.tif 000065
は上位層によって受ける値である。
【０１２２】
よって、本発明の第１方案では、数式１１を以下の規則Ｂ−１〜規則Ｂ−６によって変形し、Ｄ２Ｄ  ＤＭＲＳのＣＳ値を決定することができる。
【０１２３】
●Ｂ−１：数式１１において、
【化５２】
2019106729.tif 000066
の値を他のセル又は新しく作ったサブフレームインデックス（例えば、リインデックスされたサブフレームインデックス）をベースにして生成することができる。ここで、
【化５３】
2019106729.tif 000067
値は、各セルのリソースプールにおけるスロットインデックスであり得る。
【０１２４】
●Ｂ−２：数式１１において、
【化５４】
2019106729.tif 000068
値を他のセル又は新しく作ったスロットインデックス（例えば、リインデックスされたスロットインデックス）に取り替えることができる。ここで、
【化５５】
2019106729.tif 000069
値は、各セルのリソースプールにおけるスロットインデックスであり得る。
【０１２５】
●Ｂ−３：数式１１において、
【化５６】
2019106729.tif 000070
の値を
【化５７】
2019106729.tif 000071
値に取り替えることができる。このとき、
【化５８】
2019106729.tif 000072
値は、サブフレームインデックスに対するオフセット情報であって、方案１−Ｃで説明した通りである。ここで、
【化５９】
2019106729.tif 000073
値は、各セルのリソースプールにおけるスロットインデックスであり得る。
【０１２６】
●Ｂ−４：数式１１において、
【化６０】
2019106729.tif 000074
の値を
【化６１】
2019106729.tif 000075
値に取り替えることができる。このとき、
【化６２】
2019106729.tif 000076
値は、スロットインデックスに対するオフセット情報であって、方案１−Ｃで説明した通りである。ここで、
【化６３】
2019106729.tif 000077
値は、各セルのリソースプールにおけるスロットインデックスであり得る。
【０１２７】
●Ｂ−５：数式１１において、
【化６４】
2019106729.tif 000078
値は、送信ＵＥがそのまま使用し、受信ＵＥは、
【化６５】
2019106729.tif 000079
値を自身のサービングセルのスロットインデックスである
【化６６】
2019106729.tif 000080
値と送信ＵＥが属したセルのサブフレームインデックスオフセット情報である
【化６７】
2019106729.tif 000081
を用いて
【化６８】
2019106729.tif 000082
に取り替えて検出を行うことができる。この場合、各セルは、自身のＤ２Ｄ  ＵＥに他のセルの
【化６９】
2019106729.tif 000083
をＲＲＣシグナリングを用いて知らせることができる。ここで、
【化７０】
2019106729.tif 000084
値は、受信ＵＥが属したセルのリソースプールにおけるスロットインデックスであり得る。
【０１２８】
●Ｂ−６：数式１１において、
【化７１】
2019106729.tif 000085
値は、送信ＵＥがそのまま使用し、受信ＵＥは、
【化７２】
2019106729.tif 000086
値を自身のサービングセルのスロットインデックスである
【化７３】
2019106729.tif 000087
値と送信ＵＥが属したセルのスロットインデックスオフセット情報である
【化７４】
2019106729.tif 000088
を用いて
【化７５】
2019106729.tif 000089
に取り替えて検出を行うことができる。この場合、各セルは、自身のＤ２Ｄ  ＵＥに他のセルの
【化７６】
2019106729.tif 000090
をＲＲＣシグナリングを用いて知らせることができる。ここで、
【化７７】
2019106729.tif 000091
値は、受信ＵＥが属したセルのリソースプールにおけるスロットインデックスであり得る。
【０１２９】
すなわち、上述した規則Ｂ−５及び規則Ｂ−６は、各セルが自身のＤ２Ｄ  ＵＥに他のセルのオフセット情報をＲＲＣシグナリングを用いて知らせると仮定して適用することができる。
【０１３０】
併せて、本発明の第１方案によるＤ２Ｄ  ＤＭＲＳの基本シーケンスをより具体的に説明する。まず、現在のＬＴＥシステムのＰＵＳＣＨ  ＤＭＲＳの基本シーケンス値のためのｚａｄｏｆ・Ｃ−ｃｈｕシーケンスは数式１３によって決定される。
【０１３１】
【数１３】
2019106729.tif 000092
数式１３において、ルート（ｒｏｏｔ）値である
【化７８】
2019106729.tif 000093
の値は数式１４によって決定される。
【０１３２】
【数１４】
2019106729.tif 000094
数式１４において、
【化７９】
2019106729.tif 000095
の値は数式１５によって決定される。
【０１３３】
【数１５】
2019106729.tif 000096
数式１５において、
【化８０】
2019106729.tif 000097
の値は数式１６によって決定される。
【０１３４】
【数１６】
2019106729.tif 000098
数式１６において、
【化８１】
2019106729.tif 000099
のための
【化８２】
2019106729.tif 000100
値は数式１７によって決定される。
【０１３５】
【数１７】
2019106729.tif 000101
数式１７において、
【化８３】
2019106729.tif 000102
の値は、セルＩＤ又は上位層シグナリングによって決定される。
【０１３６】
また、数式１５において、
【化８４】
2019106729.tif 000103
の値は、ＰＵＳＣＨの場合に数式１８によって決定される。
【０１３７】
【数１８】
2019106729.tif 000104
数式１８において、
【化８５】
2019106729.tif 000105
はセルＩＤ値で、
【化８６】
2019106729.tif 000106
は上位層によって受ける値である。
【０１３８】
また、数式１４において、
【化８７】
2019106729.tif 000107
の値は数式１９によって決定される。
【０１３９】
【数１９】
2019106729.tif 000108
数式１９において、
【化８８】
2019106729.tif 000109
のための
【化８９】
2019106729.tif 000110
値は数式２０によって決定される。
【０１４０】
【数２０】
2019106729.tif 000111
数式２０において、
【化９０】
2019106729.tif 000112
の値はセルＩＤ又は上位層シグナリングによって決定され、
【化９１】
2019106729.tif 000113
は数式１８によって決定される。
【０１４１】
よって、本発明の第１方案では、数式１６を以下の規則Ｃ−１〜規則Ｃ−６のように変形し、Ｄ２Ｄ  ＤＭＲＳの基本シーケンス値を決定する方案を説明する。
【０１４２】
●Ｃ−１：数式１６において、
【化９２】
2019106729.tif 000114
の値を他のセル又は新しく作ったサブフレームインデックス（例えば、リインデックスされたサブフレームインデックス）をベースにして生成することができる。ここで、
【化９３】
2019106729.tif 000115
値は、各セルのリソースプールにおけるスロットインデックスであり得る。
【０１４３】
●Ｃ−２：数式１６において、
【化９４】
2019106729.tif 000116
値を他のセル又は新しく作ったスロットインデックス（例えば、リインデックスされたスロットインデックス）に取り替えることができる。ここで、
【化９５】
2019106729.tif 000117
値は、各セルのリソースプールにおけるスロットインデックスであり得る。
【０１４４】
●Ｃ−３：数式１６において、
【化９６】
2019106729.tif 000118
の値を
【化９７】
2019106729.tif 000119
値に取り替えることができる。このとき、
【化９８】
2019106729.tif 000120
値は、サブフレームインデックスに対するオフセット情報であって、方案１−Ｃで説明した通りである。ここで、
【化９９】
2019106729.tif 000121
値は、各セルのリソースプールにおけるスロットインデックスであり得る。
【０１４５】
●Ｃ−４：数式１６において、
【化１００】
2019106729.tif 000122
の値を
【化１０１】
2019106729.tif 000123
値に取り替えることができる。このとき、
【化１０２】
2019106729.tif 000124
値は、スロットインデックスに対するオフセット情報であって、方案１−Ｃで説明した通りである。ここで、
【化１０３】
2019106729.tif 000125
値は、各セルのリソースプールにおけるスロットインデックスであり得る。
【０１４６】
●Ｃ−５：数式１６において、
【化１０４】
2019106729.tif 000126
値は、送信ＵＥがそのまま使用し、受信ＵＥは、
【化１０５】
2019106729.tif 000127
値を自身のサービングセルのスロットインデックスである
【化１０６】
2019106729.tif 000128
値と送信ＵＥが属したセルのサブフレームインデックスオフセット情報である
【化１０７】
2019106729.tif 000129
を用いて
【化１０８】
2019106729.tif 000130
に取り替えて検出を行うことができる。この場合、各セルは、自身のＤ２Ｄ  ＵＥに他のセルの
【化１０９】
2019106729.tif 000131
をＲＲＣシグナリングを用いて知らせることができる。ここで、
【化１１０】
2019106729.tif 000132
値は、受信ＵＥが属したセルのリソースプールにおけるスロットインデックスであり得る。
【０１４７】
●Ｃ−６：数式１６において、
【化１１１】
2019106729.tif 000133
値は、送信ＵＥがそのまま使用し、受信ＵＥは、この値を自身のサービングセルのスロットインデックスである
【化１１２】
2019106729.tif 000134
値と送信ＵＥが属したセルのスロットインデックスオフセット情報である
【化１１３】
2019106729.tif 000135
を用いて
【化１１４】
2019106729.tif 000136
に取り替えて検出を行うことができる。この場合、各セルは、自身のＤ２Ｄ  ＵＥに他のセルの
【化１１５】
2019106729.tif 000137
をＲＲＣシグナリングを用いて知らせることができる。ここで、
【化１１６】
2019106729.tif 000138
値は、受信ＵＥが属したセルのリソースプールにおけるスロットインデックスであり得る。
【０１４８】
すなわち、上述した規則Ｃ−５及び規則Ｃ−６は、各セルが自身のＤ２Ｄ  ＵＥに他のセルのオフセット情報をＲＲＣシグナリングを用いて知らせると仮定して適用することができる。
【０１４９】
第２方案
【０１５０】
本発明の第２方案によると、各セルのリソースプールの開始時点と関連するサブフレームインデックスとタイミングによって本発明が適応的に適用される場合もある。
【０１５１】
現在のＤ２Ｄ通信では、上述したようにリソースプールに基づいて通信が行われる。しかし、各セルのリソースプール内で、サブフレーム（又はスロット）インデックスは新たに定義される可能性がある。例えば、上りリンク（ＵＬ）サブフレーム（又はスロット）インデックスは「０」ではないが、Ｄ２Ｄの各セルのリソースプールの開始点はサブフレーム（又はスロット）インデックス「０」に設定することができる。又は、各セルのリソースプールの開始点を、サブフレーム（又はスロット）インデックス「０」でもなく、上りリンク（ＵＬ）サブフレーム（又はスロット）インデックスでもない値から開始するように設定することもできる。よって、以下の方案２−Ａ〜方案２−Ｄのうちの一つを適用することができる。
【０１５２】
方案２−Ａ：各セルのリソースプールの開始点で、各セルのサブフレーム（又はスロット）は同一のインデックス値から開始し、各セルのリソースプールの開始時点も互いに同一のタイミングである場合があり得る。
【０１５３】
この場合、送信ＵＥは、Ｄ２Ｄのためのスクランブリングシーケンス及びＤＭＲＳの生成のために、各セルのリソースプール内で定義されたサブフレーム（又はスロット）インデックスを用い、受信ＵＥは、Ｄ２Ｄのためのスクランブリングシーケンス及びＤＭＲＳのデコード時、各セルのリソースプール内で定義されたサブフレーム（又はスロット）インデックスを用いることができる。
【０１５４】
方案２−Ｂ：各セルのリソースプールの開始点で、各セルのサブフレーム（又はスロット）は同一のインデックス値から開始し、各セルのリソースプールの開始時点は互いに異なるタイミングである場合があり得る。この場合、以下の方案２−Ｂ−１と方案２−Ｂ−２を考慮することができる。
【０１５５】
−  方案２−Ｂ−１：Ｄ２ＤＳＳが各セルのリソースプール内で定められた時点で送信される場合、Ｄ２ＤＳＳが送信される時点をいずれかのサブフレーム（又はスロット）インデックス値として定義することができる（Ｄ２ＤＳＳ送信時点以後のサブフレーム（又はスロット）インデックスは、Ｄ２ＤＳＳ送信時点によって定義されたインデックス値に基づいて順次決定される）。このとき、Ｄ２ＤＳＳが送信される時点が各セル間で異なり得るので、このようなＤ２ＤＳＳが送信される時点間のオフセット情報を（又は各セルのリソースプールの開始点間のオフセット情報を）方案１−Ｃで説明したサブフレーム単位（又はスロット単位）オフセット情報として用い、これを送受信ＵＥにＲＲＣシグナリングを用いて知らせることができる。これによって、オフセット情報を用いた発明を行うための具体的な実施例は、上述した規則Ａ−３、規則Ａ−４、規則Ａ−５、規則Ａ−６、規則Ｂ−３、規則Ｂ−４、規則Ｂ−５、規則Ｂ−６、規則Ｃ−３、規則Ｃ−４、規則Ｃ−５或いは規則Ｃ−６に従うことができる。
【０１５６】
−  方案２−Ｂ−２：又は、方案１−Ｃで説明したように、スクランブリングシーケンスとＤＭＲＳのために使用するようになる、リファレンスセルとセル自身のリソースプールの開始点に対するサブフレームオフセット情報（又はスロットインデックスのオフセット情報）を送受信ＵＥにＲＲＣシグナリングを用いて知らせることができる。これによって、オフセット情報を用いた発明を行うための具体的な実施例は、上述した規則Ａ−３、規則Ａ−４、規則Ａ−５、規則Ａ−６、規則Ｂ−３、規則Ｂ−４、規則Ｂ−５、規則Ｂ−６、規則Ｃ−３、規則Ｃ−４、規則Ｃ−５或いは規則Ｃ−６に従うことができる。
【０１５７】
方案２−Ｃ：各セルのリソースプールの開始点で、各セルのサブフレーム（又はスロット）は異なるインデックス値から開始し、各セルのリソースプールの開始時点も互いに異なるタイミングである場合があり得る。この場合、以下の方案２−Ｃ−１と方案２−Ｃ−２を考慮することができる。
【０１５８】
−  方案２−Ｃ−１：Ｄ２ＤＳＳが各セルのリソースプール内で定められた時点で送信される場合、Ｄ２ＤＳＳが送信される時点をいずれかのサブフレーム（又はスロット）インデックス値として定義することができる（Ｄ２ＤＳＳ送信時点以後のサブフレーム（又はスロット）インデックスは、Ｄ２ＤＳＳ送信時点によって定義されたインデックス値に基づいて順次決定される）。このとき、Ｄ２ＤＳＳが送信される時点が各セルで異なり得るので、このようなＤ２ＤＳＳが送信される時点間のオフセット情報を（又は各セルのリソースプールの開始点間のオフセット情報を）方案１−Ｃで説明したサブフレーム単位（又はスロット単位）オフセット情報として用い、これを送受信ＵＥにＲＲＣシグナリングを用いて知らせることができる。そして、追加的にリファレンスとなるセルのリソースプールの開始点のサブフレーム（又はスロット）インデックス値をＲＲＣシグナリングを用いて送受信ＵＥに知らせなければならない。その後、オフセット情報とリファレンスとなるセルのリソースプールの開始点のサブフレーム（又はスロット）インデックス値を用いた発明を行うための具体的な例は、規則Ａ−３、規則Ａ−４、規則Ａ−５、規則Ａ−６、規則Ｂ−３、規則Ｂ−４、規則Ｂ−５、規則Ｂ−６、規則Ｃ−３、規則Ｃ−４、規則Ｃ−５、或いは規則Ｃ−６を、それぞれ規則Ａ’−３、規則Ａ’−４、規則Ａ’−５、規則Ａ’−６、規則Ｂ’−３、規則Ｂ’−４、規則Ｂ’−５、規則Ｂ’−６、規則Ｃ’−３、規則Ｃ’−４、規則Ｃ’−５或いは規則Ｃ’−６のように修正して適用することができる。
【０１５９】
●Ａ’−３：数式８において、
【化１１７】
2019106729.tif 000139
値を
【化１１８】
2019106729.tif 000140
値に取り替えることができる。このとき、
【化１１９】
2019106729.tif 000141
値は、各セルの異なるＤ２ＤＳＳが送信される時点をサブフレームインデックスとして表現したオフセット情報（又は各セルのリソースプールの開始点間のオフセット情報）である。そして、
【化１２０】
2019106729.tif 000142
は、リファレンスセルのリソースプールの開始点のサブフレームインデックスである。ここで、
【化１２１】
2019106729.tif 000143
値は、各セルのリソースプールにおけるスロットインデックスであり得る。
【０１６０】
●Ａ’−４：数式８において、
【化１２２】
2019106729.tif 000144
値を
【化１２３】
2019106729.tif 000145
値に取り替えることができる。このとき、
【化１２４】
2019106729.tif 000146
値は、各セルの異なるＤ２ＤＳＳが送信される時点をスロットインデックスとして表現したオフセット情報（又は各セルのリソースプールの開始点間のオフセット情報）である。
そして、
【化１２５】
2019106729.tif 000147
は、リファレンスセルのリソースプールの開始点のスロットインデックスである。ここで、
【化１２６】
2019106729.tif 000148
値は、各セルのリソースプールにおけるスロットインデックスであり得る。
【０１６１】
●Ａ’−５：数式８において、
【化１２７】
2019106729.tif 000149
値は、送信ＵＥがそのまま使用し、受信ＵＥは、
【化１２８】
2019106729.tif 000150
値を自身のサービングセルのリソースプールのスロットインデックスである
【化１２９】
2019106729.tif 000151
値と、送信ＵＥが属したセルのサブフレームインデックスオフセット情報である
【化１３０】
2019106729.tif 000152
を用いて
【化１３１】
2019106729.tif 000153
に取り替えて検出を行うことができる。
【化１３２】
2019106729.tif 000154
は、送信ＵＥが属したセルのリソースプールの開始点のサブフレームインデックスである。この場合、各セルは、自身のＤ２Ｄ  ＵＥに他のセルの
【化１３３】
2019106729.tif 000155
をＲＲＣシグナリングを用いて知らせることができる。ここで、
【化１３４】
2019106729.tif 000156
値は、受信ＵＥが属したセルのリソースプールにおけるスロットインデックスであり得る。  
【０１６２】
●Ａ’−６：数式８において、
【化１３５】
2019106729.tif 000157
値は、送信ＵＥがそのまま使用し、受信ＵＥは、
【化１３６】
2019106729.tif 000158
値を自身のサービングセルのリソースプールのスロットインデックスである
【化１３７】
2019106729.tif 000159
値と、送信ＵＥが属したセルのスロットインデックスオフセット情報である
【化１３８】
2019106729.tif 000160
を用いて
【化１３９】
2019106729.tif 000161
に取り替えて検出を行うことができる。
【化１４０】
2019106729.tif 000162
は、送信ＵＥが属したセルのリソースプールの開始点のスロットインデックスである。この場合、各セルは、自身のＤ２Ｄ  ＵＥに他のセルの
【化１４１】
2019106729.tif 000163
をＲＲＣシグナリングを用いて知らせることができる。ここで、
【化１４２】
2019106729.tif 000164
値は、受信ＵＥが属したセルのリソースプールにおけるスロットインデックスであり得る。
【０１６３】
●Ｂ’−３：数式１１において、
【化１４３】
2019106729.tif 000165
の値を
【化１４４】
2019106729.tif 000166
値に取り替えることができる。このとき、
【化１４５】
2019106729.tif 000167
値は、各セルの異なるＤ２ＤＳＳが送信される時点をサブフレームインデックスとして表現したオフセット情報（又は各セルのリソースプールの開始点間のオフセット情報）である。そして、
【化１４６】
2019106729.tif 000168
は、リファレンスセルのリソースプールの開始点のサブフレームインデックスである。ここで、
【化１４７】
2019106729.tif 000169
値は、各セルのリソースプールにおけるスロットインデックスであり得る。
【０１６４】
●Ｂ’−４：数式１１において、
【化１４８】
2019106729.tif 000170
の値を
【化１４９】
2019106729.tif 000171
値に取り替えることができる。このとき、
【化１５０】
2019106729.tif 000172
値は、各セルの異なるＤ２ＤＳＳが送信される時点をスロットインデックスとして表現したオフセット情報（又は各セルのリソースプールの開始点間のオフセット情報）である。
そして、
【化１５１】
2019106729.tif 000173
は、リファレンスセルのリソースプールの開始点のスロットインデックスである。ここで、
【化１５２】
2019106729.tif 000174
値は、各セルのリソースプールにおけるスロットインデックスであり得る。
【０１６５】
●Ｂ’−５：数式１１において、
【化１５３】
2019106729.tif 000175
値は、送信ＵＥがそのまま使用し、受信ＵＥは、
【化１５４】
2019106729.tif 000176
値を自身のサービングセルのリソースプールのスロットインデックスである
【化１５５】
2019106729.tif 000177
値と、送信ＵＥが属したセルのサブフレームインデックスオフセット情報である
【化１５６】
2019106729.tif 000178
を用いて
【化１５７】
2019106729.tif 000179
に取り替えて検出を行うことができる。
【化１５８】
2019106729.tif 000180
は、送信ＵＥが属したセルのリソースプールの開始点のサブフレームインデックスである。この場合、各セルは、自身のＤ２Ｄ  ＵＥに他のセルの
【化１５９】
2019106729.tif 000181
をＲＲＣシグナリングを用いて知らせることができる。ここで、
【化１６０】
2019106729.tif 000182
値は、受信ＵＥが属したセルのリソースプールにおけるスロットインデックスであり得る。
【０１６６】
●Ｂ’−６：数式１１において、
【化１６１】
2019106729.tif 000183
値は、送信ＵＥがそのまま使用し、受信ＵＥは、
【化１６２】
2019106729.tif 000184
値を自身のサービングセルのリソースプールのスロットインデックスである
【化１６３】
2019106729.tif 000185
値と、送信ＵＥが属したセルのスロットインデックスオフセット情報である
【化１６４】
2019106729.tif 000186
を用いて
【化１６５】
2019106729.tif 000187
に取り替えて検出を行うことができる。
【化１６６】
2019106729.tif 000188
は、送信ＵＥが属したセルのリソースプールの開始点のスロットインデックスである。この場合、各セルは、自身のＤ２Ｄ  ＵＥに他のセルの
【化１６７】
2019106729.tif 000189
をＲＲＣシグナリングを用いて知らせることができる。ここで、
【化１６８】
2019106729.tif 000190
値は、受信ＵＥが属したセルのリソースプールにおけるスロットインデックスであり得る。
【０１６７】
●Ｃ’−３：数式１６において、
【化１６９】
2019106729.tif 000191
の値を
【化１７０】
2019106729.tif 000192
値に取り替えることができる。このとき、
【化１７１】
2019106729.tif 000193
値は、各セルの異なるＤ２ＤＳＳが送信される時点をサブフレームインデックスとして表現したオフセット情報（又は各セルのリソースプールの開始点間のオフセット情報）である。そして、
【化１７２】
2019106729.tif 000194
は、リファレンスセルのリソースプールの開始点のサブフレームインデックスである。ここで、
【化１７３】
2019106729.tif 000195
値は、各セルのリソースプールにおけるスロットインデックスであり得る。
【０１６８】
●Ｃ’−４：数式１６において、
【化１７４】
2019106729.tif 000196
の値を
【化１７５】
2019106729.tif 000197
値に取り替えることができる。このとき、
【化１７６】
2019106729.tif 000198
値は、各セルの異なるＤ２ＤＳＳが送信される時点をスロットインデックスとして表現したオフセット情報（又は各セルのリソースプールの開始点間のオフセット情報）である。
そして、
【化１７７】
2019106729.tif 000199
は、リファレンスセルのリソースプールの開始点のスロットインデックスである。ここで、
【化１７８】
2019106729.tif 000200
値は、各セルのリソースプールにおけるスロットインデックスであり得る。
【０１６９】
●Ｃ’−５：数式１６において、
【化１７９】
2019106729.tif 000201
値は、送信ＵＥがそのまま使用し、受信ＵＥは、
【化１８０】
2019106729.tif 000202
値を自身のサービングセルのリソースプールのスロットインデックスである
【化１８１】
2019106729.tif 000203
値と、送信ＵＥが属したセルのサブフレームインデックスオフセット情報である
【化１８２】
2019106729.tif 000204
を用いて
【化１８３】
2019106729.tif 000205
に取り替えて検出を行うことができる。
【化１８４】
2019106729.tif 000206
は、送信ＵＥが属したセルのリソースプールの開始点のサブフレームインデックスである。この場合、各セルは、自身のＤ２Ｄ  ＵＥに他のセルの
【化１８５】
2019106729.tif 000207
をＲＲＣシグナリングを用いて知らせることができる。ここで、
【化１８６】
2019106729.tif 000208
値は、受信ＵＥが属したセルのリソースプールにおけるスロットインデックスであり得る。
【０１７０】
●Ｃ’−６：数式１６において、
【化１８７】
2019106729.tif 000209
値は、送信ＵＥがそのまま使用し、受信ＵＥは、
【化１８８】
2019106729.tif 000210
値を自身のサービングセルのリソースプールのスロットインデックスである
【化１８９】
2019106729.tif 000211
値と、送信ＵＥが属したセルのスロットインデックスオフセット情報である
【化１９０】
2019106729.tif 000212
を用いて
【化１９１】
2019106729.tif 000213
に取り替えて検出を行うことができる。
【化１９２】
2019106729.tif 000214
は、送信ＵＥが属したセルのリソースプールの開始点のスロットインデックスである。この場合、各セルは、自身のＤ２Ｄ  ＵＥに他のセルの
【化１９３】
2019106729.tif 000215
をＲＲＣシグナリングを用いて知らせることができる。ここで、
【化１９４】
2019106729.tif 000216
値は、受信ＵＥが属したセルのリソースプールにおけるスロットインデックスであり得る。
【０１７１】
−  方案２−Ｃ−２：又は、方案１−Ｃで説明したように、スクランブリングシーケンスとＤＭＲＳのために使用するようになる、リファレンスセルとセルの各リソースプールの開始点におけるサブフレーム（又はスロット）インデックスに対するサブフレーム（又はスロット）オフセットと、各セルのリソースプールの開始時点に対するサブフレーム（又はスロット）オフセットとを合わせたオフセット情報を送受信ＵＥにＲＲＣシグナリングを用いて知らせることができる。これによって、オフセット情報を用いた発明を行うための具体的な実施例は、上述した規則Ａ−３、規則Ａ−４、規則Ａ−５、規則Ａ−６、規則Ｂ−３、規則Ｂ−４、規則Ｂ−５、規則Ｂ−６、規則Ｃ−３、規則Ｃ−４、規則Ｃ−５或いは規則Ｃ−６に従うことができる。
【０１７２】
方案２−Ｄ：各セルのリソースプールの開始点で、各セルのサブフレーム（又はスロット）は異なるインデックス値から開始し、各セルのリソースプールの開始時点は互いに同一のタイミングである場合があり得る。この場合は、方案１−Ｃで説明したように、スクランブリングシーケンスとＤＭＲＳのために使用するようになる、リファレンスセルとセルのリソースプールの開始点におけるサブフレーム（又はスロット）インデックスに対するオフセット情報を送受信ＵＥにＲＲＣシグナリングを用いて知らせることができる。これによって、オフセット情報を用いた発明を行うための具体的な実施例は、上述した規則Ａ−３、規則Ａ−４、規則Ａ−５、規則Ａ−６、規則Ｂ−３、規則Ｂ−４、規則Ｂ−５、規則Ｂ−６、規則Ｃ−３、規則Ｃ−４、規則Ｃ−５或いは規則Ｃ−６に従うことができる。
【０１７３】
第３方案
【０１７４】
本発明において、Ｄ２ＤＳＳが全体の受信リソースプール内で周期的に送信される場合、Ｄ２ＤＳＳが送信される時点をいずれかのサブフレーム（又はスロット）インデックス値として定義することができる（Ｄ２ＤＳＳ送信時点以後のサブフレーム（又はスロット）インデックスは、Ｄ２ＤＳＳ送信時点によって定義されたインデックス値に基づいて順次決定される）。
【０１７５】
このように定義されたサブフレーム（又はスロット）インデックス値を用いて、送信ＵＥは、Ｄ２Ｄのためのスクランブリングシーケンス及びＤＭＲＳを生成することができる。受信ＵＥは、Ｄ２ＤＳＳが送信される時点によって定義されたサブフレーム（又はスロット）インデックス値を用いてＤ２Ｄのためのスクランブリングシーケンス及びＤＭＲＳをデコードする。この発明を行うための具体的な例は、規則Ａ−１、規則Ａ−２、規則Ｂ−１、規則Ｂ−２、規則Ｃ−１或いは規則Ｃ−２に従うことができる。
【０１７６】
第４方案
【０１７７】
本発明の第４方案によると、Ｄ２Ｄ通信に使用するスクランブリングシーケンスとＤＭＲＳの生成時、サブフレーム（又はスロット）インデックス値をＳＡ  ＩＤ（Ｄ２Ｄ通信におけるｉ）受信ＵＥのＩＤ又はｉｉ）受信ＵＥグループのＩＤ）値の関数形態に取り替えることができる。このようになると、各セル間の別途のサブフレームインデックスに対するシグナリング無しで、同期が取られていない送受信ＵＥ間のＤ２Ｄ通信が可能になり得る。よって、第４方案によると、規則Ｄ−１〜Ｄ−８を適用することができる。
【０１７８】
●Ｄ−１：Ｄ２Ｄ通信におけるスクランブリングシーケンスの生成のために、数式８において、
【化１９５】
2019106729.tif 000217
値をＳＡ  ＩＤに取り替えることができる。
【０１７９】
●Ｄ−２：Ｄ２Ｄ通信におけるスクランブリングシーケンスの生成のために、数式８において、
【化１９６】
2019106729.tif 000218
値をＳＡ  ＩＤを用いて（ＳＡ  ＩＤ  ｍｏｄ  １０）に取り替えることができる。
【０１８０】
●Ｄ−３：Ｄ２Ｄ通信におけるスクランブリングシーケンスの生成のために、数式８において、
【化１９７】
2019106729.tif 000219
値をＳＡ  ＩＤに取り替えることができる。
【０１８１】
●Ｄ−４：Ｄ２Ｄ通信におけるスクランブリングシーケンスの生成のために、数式８において、
【化１９８】
2019106729.tif 000220
値をＳＡ  ＩＤを用いて（ＳＡ  ＩＤ  ｍｏｄ  ２０）に取り替えることができる。
【０１８２】
●Ｄ−５：Ｄ２Ｄ通信においてＤＭＲＳ  ＣＳ値を発生させるために、数式１１において、
【化１９９】
2019106729.tif 000221
の値をＳＡ  ＩＤに取り替えることができる。
【０１８３】
●Ｄ−６：Ｄ２Ｄ通信においてＤＭＲＳ  ＣＳ値を発生させるために、数式１１において、
【化２００】
2019106729.tif 000222
値をＳＡ  ＩＤを用いて（ＳＡ  ＩＤ  ｍｏｄ  ２０）に取り替えることができる。
【０１８４】
●Ｄ−７：Ｄ２Ｄ通信においてＤＭＲＳの基本シーケンスを発生させるために、数式１６において、
【化２０１】
2019106729.tif 000223
の値をＳＡ  ＩＤに取り替えることができる。
【０１８５】
●Ｄ−８：Ｄ２Ｄ通信においてＤＭＲＳの基本シーケンスを発生させるために、数式１６において、
【化２０２】
2019106729.tif 000224
値をＳＡ  ＩＤを用いて（ＳＡ  ＩＤ  ｍｏｄ  ２０）に取り替えることができる。
【０１８６】
第５方案
【０１８７】
本発明の第５方案によると、Ｄ２Ｄでは、受信ＵＥがカバレッジ外（ｏｕｔ  ｏｆ  ｃｏｖｅｒａｇｅ）にあり、スロットナンバーが分かりにくい場合がある。この場合、現在のＬＴＥシステム上でＤＭＲＳとスクランブリングシーケンスを生成するとき、サブフレーム（又はスロット）ナンバーが使用されるので、受信ＵＥの立場でいずれのスロットナンバーを使用したのかを知ることができなく、通信が難しい場合がある。よって、このような問題を解決するために、本発明の第５方案では、Ｄ２Ｄ通信に使用するスクランブリングシーケンスとＤＭＲＳの発生時、サブフレーム（又はスロット）インデックス値をＳＡと関連する値に取り替えることができる。
【０１８８】
よって、ＳＡリソースプールでどれだけのサブフレーム（又はスロット）が離れているのかをサブフレーム（又はスロット）インデックス値として定義することができる。このサブフレーム（又はスロット）インデックス値を
【化２０３】
2019106729.tif 000225
と定義する。このようになると、カバレッジ外（ｏｕｔ  ｏｆ  ｃｏｖｅｒａｇｅ）にあるＵＥも、リソースプールに対する情報のみを知ると、ＤＭＲＳとスクランブリングシーケンスにいずれのサブフレーム（又はスロット）インデックスが使用されたのかを知ることができる。
【０１８９】
しかし、別途のリソースプール無しで、Ｄ２Ｄ信号と上りリンク（ＵＬ）信号が互いに混じっており、いずれのサブフレームがＳＡリソースプールであるのかが定義されない場合があり得る。よって、ＳＡが送信されたサブフレームのうち最初のサブフレームからどれだけのサブフレームが離れているのかをサブフレームインデックス値として定義することができ、このサブフレームインデックス値を
【化２０４】
2019106729.tif 000226
と定義することができる。又は、ＳＡが送信されたスロットのうち一番最初のスロットからどれだけのスロットが離れているのかをスロットインデックス値として定義することができ、このスロットインデックス値を
【化２０５】
2019106729.tif 000227
と定義することができる。よって、第５方案によると、規則Ｅ−１〜規則Ｅ−８を適用することができる。
【０１９０】
●Ｅ−１：Ｄ２Ｄ通信におけるスクランブリングシーケンスの生成のために、数式８において、
【化２０６】
2019106729.tif 000228
値を
【化２０７】
2019106729.tif 000229
に取り替えることができる。
【０１９１】
●Ｅ−２：Ｄ２Ｄ通信におけるスクランブリングシーケンスの生成のために、数式８において、
【化２０８】
2019106729.tif 000230
値をＳＡ  ＩＤを用いて
【化２０９】
2019106729.tif 000231
に取り替えることができる。
【０１９２】
●Ｅ−３：Ｄ２Ｄ通信におけるスクランブリングシーケンスの生成のために、数式８において、
【化２１０】
2019106729.tif 000232
値を
【化２１１】
2019106729.tif 000233
に取り替えることができる。
【０１９３】
●Ｅ−４：Ｄ２Ｄ通信におけるスクランブリングシーケンスの生成のために、数式８において、
【化２１２】
2019106729.tif 000234
値をＳＡ  ＩＤを用いて
【化２１３】
2019106729.tif 000235
に取り替えることができる。
【０１９４】
●Ｅ−５：Ｄ２Ｄ通信においてＤＭＲＳ  ＣＳ値を発生させるために、数式１１において、
【化２１４】
2019106729.tif 000236
の値を
【化２１５】
2019106729.tif 000237
に取り替えることができる。
【０１９５】
●Ｅ−６：Ｄ２Ｄ通信においてＤＭＲＳ  ＣＳ値を発生させるために、数式１１において、
【化２１６】
2019106729.tif 000238
値をＳＡ  ＩＤを用いて
【化２１７】
2019106729.tif 000239
に取り替えることができる。
【０１９６】
●Ｅ−７：Ｄ２Ｄ通信においてＤＭＲＳの基本シーケンスを発生させるために、数式１６において、
【化２１８】
2019106729.tif 000240
の値を
【化２１９】
2019106729.tif 000241
に取り替えることができる。
【０１９７】
●Ｅ−８：Ｄ２Ｄ通信においてＤＭＲＳの基本シーケンスを発生させるために、数式１６において、
【化２２０】
2019106729.tif 000242
の値をＳＡ  ＩＤを用いて
【化２２１】
2019106729.tif 000243
に取り替えることができる。
【０１９８】
第６方案
【０１９９】
本発明の第６方案によると、データリソースプールにおいて、リソースパターンタイプで何番目のサブフレーム（又はスロット）であるのかをサブフレーム（又はスロット）インデックスとして定義することができる。このサブフレーム（又はスロット）インデックス値を
【化２２２】
2019106729.tif 000244
と定義する。このように定義されたサブフレーム（又はスロット）インデックス値を用いて、送信ＵＥは、Ｄ２Ｄのためのスクランブリングシーケンス及びＤＭＲＳを生成することができる。例えば、いずれかのデータが１、３、５、７サブフレームで送信されるリソースパターンタイプを有していると、この１、３、５、７サブフレームを０、１、２、３サブフレームと定義し、Ｄ２Ｄのためのスクランブリングシーケンス及びＤＭＲＳを生成することができる。よって、本発明の第６方案によると、規則Ｆ−１〜規則Ｆ−８を適用することができる。
【０２００】
●Ｆ−１：Ｄ２Ｄ通信におけるスクランブリングシーケンスの生成のために、数式８において、
【化２２３】
2019106729.tif 000245
値を
【化２２４】
2019106729.tif 000246
に取り替えることができる。
【０２０１】
●Ｆ−２：Ｄ２Ｄ通信におけるスクランブリングシーケンスの生成のために、数式８において、
【化２２５】
2019106729.tif 000247
値をＳＡ  ＩＤを用いて
【化２２６】
2019106729.tif 000248
に取り替えることができる。
【０２０２】
●Ｆ−３：Ｄ２Ｄ通信におけるスクランブリングシーケンスの生成のために、数式８において、
【化２２７】
2019106729.tif 000249
値を
【化２２８】
2019106729.tif 000250
に取り替えることができる。
【０２０３】
●Ｆ−４：Ｄ２Ｄ通信におけるスクランブリングシーケンスの生成のために、数式８において、
【化２２９】
2019106729.tif 000251
値をＳＡ  ＩＤを用いて
【化２３０】
2019106729.tif 000252
に取り替えることができる。
【０２０４】
●Ｆ−５：Ｄ２Ｄ通信においてＤＭＲＳ  ＣＳ値を発生させるために、数式１１において、
【化２３１】
2019106729.tif 000253
値を
【化２３２】
2019106729.tif 000254
に取り替えることができる。
【０２０５】
●Ｆ−６：Ｄ２Ｄ通信においてＤＭＲＳ  ＣＳ値を発生させるために、数式１１において、
【化２３３】
2019106729.tif 000255
値をＳＡ  ＩＤを用いて
【化２３４】
2019106729.tif 000256
に取り替えることができる。
【０２０６】
●Ｆ−７：Ｄ２Ｄ通信においてＤＭＲＳの基本シーケンスを発生させるために、数式１６において、
【化２３５】
2019106729.tif 000257
の値を
【化２３６】
2019106729.tif 000258
に取り替えることができる。
【０２０７】
●Ｆ−８：Ｄ２Ｄ通信においてＤＭＲＳの基本シーケンスを発生させるために、数式１６において、
【化２３７】
2019106729.tif 000259
の値をＳＡ  ＩＤを用いて
【化２３８】
2019106729.tif 000260
に取り替えることができる。
【０２０８】
上述した第１方案〜第６方案において、オフセット情報である
【化２３９】
2019106729.tif 000261
と、各セルのリソースプールの開始点におけるサブフレーム又はスロットインデックスである
【化２４０】
2019106729.tif 000262
は、Ｄ２Ｄ通信を行うＵＥに対する周波数帯域又はＤ２Ｄ通信を行うＵＥグループに対する周波数帯域ごとに特定値をＲＲＣシグナリングを用いて指示することができる。
【０２０９】
また、上述した第１方案〜第６方案において、オフセット情報である
【化２４１】
2019106729.tif 000263
と、各セルのリソースプールの開始点におけるサブフレーム又はスロットインデックスである
【化２４２】
2019106729.tif 000264
は、セル単位又はセルのグループ単位ごとに値を有してＲＲＣシグナリングを用いて指示することができる。
【０２１０】
図１２は、本発明の一実施例に適用できる基地局及び端末を例示する。
【０２１１】
無線通信システムにリレーが含まれる場合、通信は、バックホールリンクで基地局とリレーとの間で行われ、アクセスリンクでリレーと端末との間で行われる。よって、図面に例示した基地局又は端末は、状況に合わせてリレーに取り替えることができる。
【０２１２】
図１２を参照すると、無線通信システムは、基地局（ＢＳ）１１０及び端末（ＵＥ）１２０を含む。基地局１１０は、プロセッサ１１２、メモリ１１４及び無線周波数（Ｒａｄｉｏ  Ｆｒｅｑｕｅｎｃｙ、ＲＦ）ユニット１１６を含む。プロセッサ１１２は、本発明で提案した手順及び／又は方法を具現するように構成することができる。メモリ１１４は、プロセッサ１１２と連結され、プロセッサ１１２の動作と関連する多様な情報を格納する。ＲＦユニット１１６は、プロセッサ１１２と連結され、無線信号を送信及び／又は受信する。端末１２０は、プロセッサ１２２、メモリ１２４及びＲＦユニット１２６を含む。プロセッサ１２２は、本発明で提案した手順及び／又は方法を具現するように構成することができる。メモリ１２４は、プロセッサ１２２と連結され、プロセッサ１２２の動作と関連する多様な情報を格納する。ＲＦユニット１２６は、プロセッサ１２２と連結され、無線信号を送信及び／又は受信する。基地局１１０及び／又は端末１２０は、単一アンテナ又は多重アンテナを有することができる。
【０２１３】
以上で説明した実施例は、本発明の構成要素と特徴が所定の形態で結合されたものである。各構成要素又は特徴は、別の明示的な言及がない限り、選択的なものとして考慮しなければならない。各構成要素又は特徴は、他の構成要素や特徴と結合されていない形態で実施されてもよい。また、一部の構成要素及び／又は特徴を結合して本発明の実施例を構成することもできる。本発明の実施例で説明する動作の順序は変更されてもよい。ある実施例の一部の構成や特徴は、他の実施例に含まれてもよく、又は、他の実施例の対応する構成又は特徴に置換されてもよい。特許請求の範囲において明示的な引用関係にない請求項を結合して実施例を構成したり、出願後の補正によって新たな請求項として含めたりすることができるということは明らかである。
【０２１４】
本文書において、基地局によって行われると説明した特定の動作は、場合に応じては、その上位ノードによって行われてもよい。すなわち、基地局を含む複数のネットワークノードからなるネットワークで端末との通信のために行われる様々な動作が、基地局又は基地局以外の他のネットワークノードによって行われることは明らかである。基地局は、固定局、Ｎｏｄｅ  Ｂ、ｅＮｏｄｅＢ（ｅＮＢ）、アクセスポイントなどの用語に代替されてもよい。
【０２１５】
本発明に係る実施例は、多様な手段、例えば、ハードウェア、ファームウェア、ソフトウェア又はこれらの結合などによって具現されてもよい。ハードウェアによる具現の場合、本発明の一実施例は、１つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現されてもよい。
【０２１６】
ファームウェアやソフトウェアによる具現の場合、本発明の一実施例は、以上で説明した機能又は動作を行うモジュール、手順、関数などの形態で具現されてもよい。ソフトウェアコードは、メモリユニットに格納され、プロセッサによって駆動され得る。
【０２１７】
前記メモリユニットは、前記プロセッサの内部又は外部に位置して、公知の様々な手段によって前記プロセッサとデータを交換することができる。
【０２１８】
本発明は、本発明の特徴を逸脱しない範囲内で他の特定の形態に具体化できるということは、当業者にとって自明である。したがって、前記の詳細な説明は、全ての面で制限的に解釈してはならず、例示的なものとして考慮しなければならない。本発明の範囲は、添付の請求項の合理的解釈によって決定されなければならず、本発明の等価的範囲内での全ての変更は本発明の範囲に含まれる。
【産業上の利用可能性】
【０２１９】
上述した無線通信システムにおけるＤ２Ｄ通信のための信号を送信する方法及びこのための装置は、３ＧＰＰ  ＬＴＥシステムに適用される例を中心に説明したが、３ＧＰＰ  ＬＴＥシステム以外にも多様な無線通信システムに適用することが可能である。
【図１】
2019106729.tif 000265
【図２】
2019106729.tif 000266
【図３】
2019106729.tif 000267
【図４】
2019106729.tif 000268
【図５】
2019106729.tif 000269
【図６】
2019106729.tif 000270
【図７】
2019106729.tif 000271
【図８】
2019106729.tif 000272
【図９】
2019106729.tif 000273
【図１０】
2019106729.tif 000274
【図１１】
2019106729.tif 000275
【図１２】
2019106729.tif 000276